(57)【要約】【課題】  片面側からのレーザ光の照射により情報が記録され得る複数の記録層をそなえた光記録媒体において、各記録層の最適な記録パワーを決定できるようにする。【解決手段】  片面側からのレーザ光の照射により情報が記録され得る複数の記録層をそなえ、上記の各記録層に、前記レーザ光の強度を最適化するためのパワーキャリブレーションエリア（ＰＣＡ）（５２），（６１）を設けるようにする。【選択図】        図５
2008140545.tif 000002
【特許請求の範囲】
【請求項１】
片面側からのレーザ光の照射により情報が記録され得る複数の記録層をそなえ、
前記各記録層のそれぞれに、レーザ光の強度を最適化するためのパワーキャリブレーションエリアが設けられていることを特徴とする、光記録媒体。
【請求項２】
前記パワーキャリブレーションエリアは、前記記録層の情報記録エリアよりも内周側及び／又は外周側に設けられていることを特徴とする、請求項１記載の光記録媒体。
【請求項３】
光透過性の第１の基板と、
前記第１の基板上に設けられ、前記第１の基板側からのレーザ光の照射により情報が記録され得る第１の記録層と、
前記第１の記録層上に設けられ、レーザ光の照射により情報が記録され得る第２の記録層とをそなえ、
前記第１の記録層及び前記第２の記録層に、レーザ光の強度を最適化するためのパワーキャリブレーションエリアが設けられていることを特徴とする、光記録媒体。
【請求項４】
前記第１の記録層及び前記第２の記録層のパワーキャリブレーションエリアは、それぞれ前記第１の記録層及び前記第２の記録層の情報記録エリアよりも内周側及び／又は外周側に設けられていることを特徴とする、請求項３記載の光記録媒体。
【請求項５】
前記第１の記録層及び前記第２の記録層のパワーキャリブレーションエリアが、それぞれ前記第１の記録層及び前記第２の記録層の情報記録エリアよりも内周側に設けられ、
前記第１の記録層及び前記第２の記録層への情報の記録が前記情報記録エリアの内周側から外周側へ向かって行なわれるように構成されていることを特徴とする、請求項４記載の光記録媒体。
【請求項６】
前記第１の記録層のパワーキャリブレーションエリアが、前記情報記録エリアよりも内周側及び外周側の一側に設けられるとともに、
前記第２の記録層のパワーキャリブレーションエリアが、前記情報記録エリアよりも内周側及び外周側の他側に設けられ、
前記第１の記録層及び前記第２の記録層への情報の記録が互いに逆方向へ向かって行なわれるように構成されていることを特徴とする、請求項４記載の光記録媒体。
【請求項７】
前記第２の記録層のパワーキャリブレーションエリアが、前記第１の記録層のパワーキャリブレーションエリアとは重ならない領域を有していることを特徴とする、請求項３〜６のいずれか１項に記載の光記録媒体。
【請求項８】
前記第２の記録層のパワーキャリブレーションエリアと重なる前記第１の記録層の一部が予め記録された状態になっていることを特徴とする、請求項３〜７のいずれか１項に記載の光記録媒体。
【請求項９】
前記第２の記録層への情報の記録よりも先に前記第１の記録層への情報の記録が行なわれるように構成されていることを特徴とする、請求項３〜８のいずれか１項に記載の光記録媒体。
【請求項１０】
前記各記録層の推奨記録パワー値が予め記録されていることを特徴とする、請求項１〜９のいずれか１項に記載の光記録媒体。
【請求項１１】
複数の記録層を有する光記録媒体の記録方法であって、
前記各記録層への記録前にオプティマム・パワー・コントロール（以下、ＯＰＣという）を行なって前記各記録層のＯＰＣ記録パワーを設定するＯＰＣ記録パワー設定ステップを備えることを特徴とする、光記録媒体の記録方法。
【請求項１２】
前記ＯＰＣ記録パワー設定ステップで設定した一の記録層のＯＰＣ記録パワーに対する実際の記録パワーの変化に基づいて前記ＯＰＣ記録パワー設定ステップで設定した他の記録層のＯＰＣ記録パワーを補正して、前記他の記録層への記録開始時の記録パワーを設定する記録開始時記録パワー設定ステップとを備えることを特徴とする、請求項１１記載の光記録媒体の記録方法。
【請求項１３】
前記一の記録層への記録と前記他の記録層への記録とを連続して行なうことを特徴とする、請求項１２記載の光記録媒体の記録方法。
【請求項１４】
前記ＯＰＣ記録パワー設定ステップを、前記光記録媒体への記録前に全ての記録層について予め行なっておき、
前記記録開始時記録パワー設定ステップを、前記一の記録層への記録後、前記他の記録層への記録前に行なうことを特徴とする、請求項１２又は１３記載の光記録媒体の記録方法。
【請求項１５】
複数の記録層を有する光記録媒体の記録装置であって、
前記複数の各記録層への記録前にオプティマム・パワー・コントロール（以下、ＯＰＣという）を行なって前記各記録層のＯＰＣ記録パワーを設定する制御演算部を備えることを特徴とする、光記録媒体の記録装置。
【請求項１６】
前記制御演算部が、一の記録層のＯＰＣ記録パワーに対する実際の記録パワーの変化に基づいて他の記録層のＯＰＣ記録パワーを補正して、前記他の記録層への記録開始時の記録パワーを設定するように構成されることを特徴とする、請求項１５記載の光記録媒体の記録装置。
【請求項１７】
前記制御演算部が、前記一の記録層への記録と前記他の記録層への記録とを連続して行なうように構成されることを特徴とする、請求項１６記載の光記録媒体の記録装置。
【請求項１８】
前記制御演算部が、
前記各記録層のＯＰＣ記録パワーの設定を、前記光記録媒体への記録前に全ての記録層について予め行なっておき、
前記他の記録層への記録開始時の記録パワーの設定を、前記一の記録層への記録後、前記他の記録層への記録前に行なうように構成されることを特徴とする、請求項１６又は１７記載の光記録媒体の記録装置。
【発明の詳細な説明】
【技術分野】
【０００１】
本発明は、複数の記録層を有し、片面側から記録・再生が行なわれる光記録媒体及びその記録方法並びに記録装置に関する。
【背景技術】
【０００２】
現在、ＣＤ−Ｒ，ＣＤ−ＲＷ，ＤＶＤ−Ｒ，ＤＶＤ−ＲＷ，ＤＶＤ−ＲＯＭ，ＭＯ等の各種光記録媒体は、大容量の情報を記憶でき、ランダムアクセスが容易であるために、コンピュータのような情報処理装置における外部記憶装置として広く認知され普及しつつある。さらに取り扱う情報量の増大により、記憶密度を高めることが望まれている。
種々の光記録媒体の中でもＣＤ−Ｒ，ＤＶＤ−Ｒ，ＤＶＤ＋Ｒなど、有機色素を含む記録層（色素含有記録層ともいう）を有する光ディスクは比較的安価で、且つ、再生専用の光ディスクとの互換性を有するため、特に広く用いられている。
【０００３】
一例として、色素含有記録層を有する光ディスクとして代表的なＣＤ−Ｒなどの媒体は、透明ディスク基板上に色素含有記録層と反射層とをこの順に有し、これら色素含有記録層や反射層を覆う保護層を有する積層構造であり、基板を通してレーザ光にて記録・再生を行なうものである。
このようなＣＤ−Ｒには、例えば図１１に示すように、リードインエリアの内周側に、レーザ光の記録パワーの最適化（ＯＰＣ：Optimum Power Control）を行なうためのパワ
ーキャリブレーションエリア（ＰＣＡ：Power Calibration Area）が設けられている（例えば特許文献１参照）。このＰＣＡはＯＰＣ領域とＯＰＣ管理領域とに区分され、各領域はそれぞれ１００個のパーティションから構成されており、１回のＯＰＣ処理につき、各領域において１個のパーティションが使用されるようになっている。また、このとき、ＯＰＣ領域のパーティションは外周側から内周側へ向かって使用され、ＯＰＣ管理領域のパーティションは内周側から外周側へ向かって使用されるようになっている。
【０００４】
ＣＤ−Ｒでは、レーザ光により情報記録エリアへの記録を行なう場合には、まずＯＰＣ領域（例えば図１１中に示すパーティションａ1）に様々なパワーのレーザ光により試し
書きを行ない、この試し書きされた記録の再生を繰り返し、再生を最も適切に行ない得るレーザ光の最適なパワーを決定するとともに、ＯＰＣ管理領域（例えば図１１中に示すパーティションｂ1）に、試し書き回数等のＯＰＣ領域の使用状況を記録するようになって
いる。
【０００５】
なお、通常、媒体にはレーザ光の推奨記録パワー値が予め記録されているが、実際は、最適なパワーは媒体によって多少異なるので、各媒体に上記のようなＰＣＡを設けて、媒体に記録を行なう毎にレーザ光のパワーを最適化することが好ましいとされている。
さて、同じく代表的な片面型ＤＶＤ−Ｒ（片面１層ＤＶＤ−Ｒ）は、第１の透明ディスク基板上に色素含有記録層、反射層、これらを覆う保護層をこの順に有し、さらに保護層の上に接着層を介して或いは介さずに、第２のディスク基板（透明でも不透明でも良い）上に反射層を形成したいわゆるダミーディスクを設けた積層構造であり、第１の透明ディスク基板を通して片面側からレーザ光にて記録・再生を行なうものである。ダミーディスクは透明又は不透明なディスク基板のみであっても良いし、反射層以外の層を設けていても良い。
【０００６】
なお、ＤＶＤ＋Ｒは、ＤＶＤ−Ｒとほぼ同じ構成であるため、ＤＶＤ−Ｒの説明で代表させる。
なお、ＣＤ−ＲやＤＶＤ−Ｒは色素記録層の化学変化を利用した光ディスクであり、書
き込みが１回だけ可能である（即ち、書き換えが不可能である）のに対し、ＣＤ−ＲＷ，ＤＶＤ−ＲＷは記録層の結晶変化を利用した相変化型の光ディスクであり、複数回の書き換えが可能になっている。また、このような相変化型の光ディスクでは、一般に記録層の上下に保護層が設けられている。
【０００７】
また、光記録媒体の記録容量を更に大容量化するために、上記のような片面型ＤＶＤ−Ｒを貼り合わせて２つの記録層を有する媒体とし、両面側から各記録層にレーザ光を照射して記録・再生を行なう（即ち、媒体の一面側からレーザ光を照射し、この一面側に近い方の記録層の記録・再生を行なう一方、媒体の他面側からもレーザ光を照射し、この他面側に近い方の記録層の記録・再生を行なう）両面型ＤＶＤ−Ｒ（両面２層ＤＶＤ−Ｒ）も知られている。
【０００８】
このような従来の片面型ＤＶＤ−Ｒや両面型ＤＶＤ−Ｒにも、上述したＣＤ−Ｒと同様に、ＯＰＣ処理を行なうためのＰＣＡが設けられている。
ところで、近年、複数の記録層を有する光記録媒体においては、記録再生装置が大型化，複雑化しないようにし、また、複数の記録層にわたる連続的な再生を可能とし、さらに、利便性を向上させるべく、片面側からレーザ光を照射することによってこれらの複数の記録層に対して記録・再生を行なうことができる片面入射型光記録媒体（例えば片面入射２層ＤＶＤ−Ｒ）を実現することが望まれている。
【０００９】
このため、例えば図１２に示すような光記録媒体（ＤＶＤ−Ｒ）が提案されている。つまり、以下のような構成を有する片面入射型光記録媒体として、例えば２つの記録層を有するデュアルレイヤタイプの片面入射型ＤＶＤ−Ｒ（片面２層ＤＶＤ−Ｒ）が提案されている（特許文献２参照）。
例えば貼り合わせ型のデュアルレイヤタイプの片面入射型ＤＶＤ−Ｒは、第１透光性基板５上に、記録用レーザ光の照射により光学的に情報が記録し得る有機色素からなる第１記録層１２と、再生用レーザ光の一部を透過し得る半透光性反射膜で構成された第１反射層１３と、記録用レーザ光及び再生用レーザ光に対して透光性を有する中間層１１と、記録用レーザ光の照射により光学的に情報が記録し得る有機色素からなる第２記録層１２′と、再生用レーザ光を反射する第２反射層１３′と、第２透光性基板５′とを順に積層して構成される。
【００１０】
このような構成により、光記録媒体の片面側から第１記録層１２及び第２記録層１２′に情報を記録することが可能になり、再生時にも、いわゆるデュアルレイヤタイプの光記録媒体として片面側から信号を読み取ることが可能となっている。
【特許文献１】特開平９−６３０６１号公報
【特許文献２】特開平１１−６６６２２号公報
【発明の開示】
【発明が解決しようとする課題】
【００１１】
しかしながら、片面側からのレーザ光の照射により２つの記録層に情報を記録する光記録媒体の場合、第２記録層１２′への記録は、第１記録層１２，半透明反射層１３等を通して記録を行なうため、記録層毎に記録・再生条件が異なってしまうおそれがある。
特に、第１記録層１２に情報が記録された状態であるか否かで第１記録層１２の複素屈折率が変化し、透過光量も変化するため、第２記録層１２′の最適な記録パワーが大きく変化してしまうおそれがある。
【００１２】
ところで、複数の記録層を有する光記録媒体、特に、デュアルレイヤタイプの片面入射型ＤＶＤ−Ｒの各記録層にデータを記録する場合、各記録層への記録を良好なものとするためには、各記録層に対して最適な記録パワー（最適パワー）で記録を行なう必要がある
。
このため、例えば、各記録層への記録前に、各記録層のデータ記録領域の内周側でＯＰＣ（Optimum Power Control）を行なって最適パワーを求めておき、各記録層にデータを
記録する際には、予め求めておいた最適パワーになるように例えばレーザダイオードのパワー（レーザパワー）を制御してデータの記録を行なうことが考えられる。
【００１３】
しかしながら、記録光の光源として用いられるレーザダイオードは、電流を流すと、これに応じたレーザパワーを発振するようになっているが、連続発振すると温度が上がってきて、同じ電流値であってもレーザパワーが小さくなる傾向がある。
また、温度が上がると、レーザダイオードから出力されるレーザ光の波長が長波長側にシフトしていく傾向がある。特に、ＣＤ−Ｒ，ＤＶＤ−Ｒでは、レーザ光の波長よりも短波長側に最大吸収波長があり、長波長になるほど吸収が小さくなるので、記録光としてのレーザ光の波長が長波長側にシフトしてしまうと、記録感度が悪くなり、従って、同じように記録するためには、より大きなレーザパワーが必要になる。
【００１４】
さらに、記録に用いるレーザパワーの大きさ，記録時間，周囲の温度等によってもレーザダイオード自体の温度が変化し、これにより、レーザパワーが変化してしまう。
このため、予め求めておいた最適パワーになるようにレーザダイオードの電流値を設定してレーザパワーを制御したとしても、例えばレーザダイオードの温度変化などに起因して実際に出力されるレーザパワーは変化してしまい、良好な記録を行なえない場合がある。
【００１５】
例えば、一の記録層に対してデータの記録を行なった後に、連続して他の記録層に対してデータの記録を行なう場合に、予め求めておいた最適パワーに対応するレーザ電流値で他の記録層に対してデータを記録すると、レーザパワーが足りないため、記録されなかったり、記録が不十分になったりして、良好な記録を行なえない場合がある。
特に、各記録層に連続してデータを記録するためには、各記録層への記録直前に各記録層でＯＰＣを行なうことができないため、前もって行なったＯＰＣでの最適パワーを用いざるを得ず、レーザ光源の温度変化などに対応できないため、各記録層での良好な記録を実現するのは難しい。
【００１６】
本発明は、このような課題に鑑み創案されたもので、片面側からのレーザ光の照射により情報が記録され得る複数の記録層をそなえた光記録媒体において、各記録層の最適な記録パワーを決定できるようにした、光記録媒体及びその記録方法並びに記録装置を提供することを目的とする。
また、本発明の光記録媒体の記録方法及び記録装置は、例えばレーザ光源の温度変化等に起因して記録パワーが変化してしまう場合であっても、各記録層にデータを記録する際の記録パワーを精度良く調整できるようにして、各記録層に対して良好な記録を行なえるようにすることも目的とする。
【課題を解決するための手段】
【００１７】
このため、本発明の光記録媒体は、片面側からのレーザ光の照射により情報が記録され得る複数の記録層をそなえ、各記録層のそれぞれに、レーザ光の強度を最適化するためのパワーキャリブレーションエリアが設けられていることを特徴としている。
パワーキャリブレーションエリアは、記録層の情報記録エリアよりも内周側及び／又は外周側に設けられていることが好ましい。
【００１８】
本発明の光記録媒体は、光透過性の第１の基板と、第１の基板上に設けられ、第１の基板側からのレーザ光の照射により情報が記録され得る第１の記録層と、第１の記録層上に設けられ、レーザ光の照射により情報が記録され得る第２の記録層とをそなえ、第１の記
録層及び第２の記録層に、レーザ光の強度を最適化するためのパワーキャリブレーションエリアが設けられていることを特徴としている。
【００１９】
第１の記録層及び第２の記録層のパワーキャリブレーションエリアは、それぞれ第１の記録層及び第２の記録層の情報記録エリアよりも内周側及び／又は外周側に設けられていることが好ましい。
第１の記録層及び第２の記録層のパワーキャリブレーションエリアが、それぞれ第１の記録層及び第２の記録層の情報記録エリアよりも内周側に設けられ、第１の記録層及び第２の記録層への情報の記録が情報記録エリアの内周側から外周側へ向かって行なわれるように構成されていることが好ましい。
【００２０】
第１の記録層のパワーキャリブレーションエリアが、情報記録エリアよりも内周側及び外周側の一側に設けられるとともに、第２の記録層のパワーキャリブレーションエリアが、情報記録エリアよりも内周側及び外周側の他側に設けられ、第１の記録層及び第２の記録層への情報の記録が互いに逆方向へ向かって行なわれるように構成されていることが好ましい。
【００２１】
第２の記録層のパワーキャリブレーションエリアが、第１の記録層のパワーキャリブレーションエリアとは重ならない領域を有していることが好ましい。
第２の記録層のパワーキャリブレーションエリアと重なる第１の記録層の一部が予め記録された状態になっていることが好ましい。
第２の記録層への情報の記録よりも先に第１の記録層への情報の記録が行なわれるように構成されていることが好ましい。
【００２２】
各記録層の推奨記録パワー値が予め記録されていることが好ましい。
本発明の光記録媒体の記録方法は、複数の記録層を有する光記録媒体の記録方法であって、複数の各記録層への記録前にオプティマム・パワー・コントロール（以下、ＯＰＣという）を行なって各記録層のＯＰＣ記録パワーを設定するＯＰＣ記録パワー設定ステップをそなえることを特徴としている。
【００２３】
さらに、ＯＰＣ記録パワー設定ステップで設定した一の記録層のＯＰＣ記録パワーに対する実際の記録パワーの変化に基づいてＯＰＣ記録パワー設定ステップで設定した他の記録層のＯＰＣ記録パワーを補正して、他の記録層への記録開始時の記録パワーを設定する記録開始時記録パワー設定ステップとを備えるものとするのが好ましい。
好ましくは、記録開始時記録パワー設定ステップにおいて、実際の記録パワーの変化を、レーザ光源の温度に基づいて推定するようにする。
【００２４】
また、記録開始時記録パワー設定ステップにおいて、実際の記録パワーの変化を、光記録媒体からの反射光量に基づいて推定するのも好ましい。
さらに、記録開始時記録パワー設定ステップにおいて、実際の記録パワーの変化を、レーザ光源の出射光量に基づいて推定するのも好ましい。
また、記録開始時記録パワー設定ステップにおいて、実際の記録パワーの変化を、ランニングＯＰＣで設定されるレーザ電流値に基づいて推定するのも好ましい。
【００２５】
さらに、記録開始時記録パワー設定ステップにおいて、実際の記録パワーの変化を、レーザ照射時間に基づいて推定するのも好ましい。
また、一の記録層への記録と他の記録層への記録とを連続して行なうようにするのも好ましい。
さらに、ＯＰＣ記録パワー設定ステップを、光記録媒体への記録前に全ての記録層について予め行なっておき、記録開始時記録パワー設定ステップを、一の記録層への記録後、
他の記録層への記録前に行なうようにするのも好ましい。
【００２６】
また、ＯＰＣ記録パワー設定ステップにおいて、各記録層の内周側及び外周側でＯＰＣを行なうようにするのも好ましい。
本発明の光記録媒体の記録装置は、複数の記録層を有する光記録媒体の記録装置であって、複数の各記録層への記録前にオプティマム・パワー・コントロール（以下、ＯＰＣという）を行なって各記録層のＯＰＣ記録パワーを設定する制御演算部をそなえることを特徴としている。
【００２７】
さらに、制御演算部が、一の記録層のＯＰＣ記録パワーに対する実際の記録パワーの変化に基づいて他の記録層のＯＰＣ記録パワーを補正して、他の記録層への記録開始時の記録パワーを設定するように構成されるのが好ましい。
好ましくは、制御演算部を、実際の記録パワーの変化を、レーザ光源の温度に基づいて推定するように構成する。
【００２８】
また、制御演算部を、実際の記録パワーの変化を、光記録媒体からの反射光量に基づいて推定するように構成する。
さらに、制御演算部を、実際の記録パワーの変化を、レーザ光源の出射光量に基づいて推定するように構成する。
また、制御演算部を、実際の記録パワーの変化を、ランニングＯＰＣで設定されるレーザ電流値に基づいて推定するように構成する。
【００２９】
さらに、制御演算部が、実際の記録パワーの変化を、レーザ照射時間に基づいて推定するように構成する。
また、制御演算部を、一の記録層への記録と他の記録層への記録とを連続して行なうように構成する。
さらに、制御演算部を、各記録層のＯＰＣ記録パワーの設定を、光記録媒体への記録前に全ての記録層について予め行なっておき、他の記録層への記録開始時の記録パワーの設定を、一の記録層への記録後、他の記録層への記録前に行なうように構成する。
【００３０】
また、制御演算部を、各記録層の内周側及び外周側でＯＰＣを行なうように構成する。
さらに、記録層が、色素含有記録層であるものに適用するのが好ましい。
【発明の効果】
【００３１】
したがって、本発明によれば、片面側からのレーザ光の照射により複数の記録層に情報を記録する光記録媒体において、各記録層に、レーザ光の強度を最適化するためのパワーキャリブレーションエリアが設けられているので、各記録層の最適な記録パワーを決定できる。
また、各記録層にデータを記録する際の記録パワーを精度良く調整でき、各記録層に対して良好な記録を行なうことができる。
【００３２】
また、本発明の光記録媒体の記録方法及び記録装置によれば、例えばレーザ光源の温度変化等に起因して記録パワーが変化してしまう場合であっても、各記録層にデータを記録する際の記録パワーを精度良く調整できるようになり、各記録層に対して良好な記録を行なえるようになるという利点がある。この結果、例えば複数の記録層を有する光記録媒体の各記録層に連続記録する場合に、各記録層に対して良好な記録を行なえるようになる。
【発明を実施するための最良の形態】
【００３３】
以下、図面により、本発明の実施の形態について説明する。
〔Ａ〕第１実施形態
本実施形態にかかる光記録媒体の記録方法及び記録装置は、複数の記録層を有する光記録媒体全般に適用しうる。
例えば、複数の記録層を有し、片面側から光（レーザ光）を入射させることでそれぞれの記録層にデータ（情報）の記録又は再生を行なうことができる片面入射型光記録媒体（片面入射型ＤＶＤ）にデータ（情報）を記録するのに用いるのが好ましい。
【００３４】
特に、例えば片面入射型ＤＶＤ−Ｒなどが有する色素含有記録層は、レーザ光の波長変化により記録感度が大きく変わってしまうため、本発明は色素含有記録層を有する光記録媒体に適用するとより効果が高い。
ここで、片面入射型光記録媒体（光ディスク）としては、例えば２つの色素含有記録層を有するデュアルレイヤタイプの片面入射型ＤＶＤ−Ｒ（片面２層ＤＶＤ−Ｒ，片面２層ＤＶＤレコーダブル・ディスク）があり、これには、積層型と貼り合わせ型とがある。
〔１〕光記録媒体の積層構造
まず、本実施形態に係る、積層構造の異なる２つのタイプの光記録媒体（積層型のデュアルレイヤタイプの片面入射型ＤＶＤ−Ｒ）について説明する。
〔１−１〕タイプ１の光記録媒体
図１は本実施形態に係る光記録媒体（タイプ１）を示す模式的な断面図である。
【００３５】
本実施形態に係るタイプ１の光記録媒体は、図１に示すように、ディスク状の透明な（光透過性の）第１基板（第１の基板，第１光透過性基板）１上に、色素を含む第１記録層（第１の記録層，第１色素含有記録層）２、半透明の反射層（以下、半透明反射層という。第１の反射層）３、中間樹脂層（中間層）４、色素を含む第２記録層（第２の記録層，第２色素含有記録層）５、反射層（第２の反射層）６、接着層７、第２基板（第２の基板）８をこの順に有してなる。光ビーム（レーザ光）は第１基板１側から照射され、記録・再生が行われる。
【００３６】
なお、本実施形態において、透明である（光透過性がある）とは光記録媒体の記録・再生に用いる光ビームに対して透明である（光透過性がある）ことを言う。また、透明である（光透過性がある）層としては、記録又は再生に用いる光ビームを多少吸収するものも含む。例えば、記録又は再生に用いる光ビームの波長について５０％以上（好ましくは６０％以上）の透過性があれば実質的に光透過性がある（透明である）ものとする。
【００３７】
透明な第１基板１、中間樹脂層４上にはそれぞれ凹凸（ランド及びグルーブ）が形成され、凹部及び／又は凸部で記録トラックが構成される。なお、記録トラックは凸部及び凹部のどちらでも良いが、一般には、第１基板１上の記録トラック１１は、光の入射方向に対して凸部で構成され、中間樹脂層４上の記録トラック１２も、光の入射方向に対して凸部で構成される場合が多い。特に断らない限り、本発明において凹凸は記録・再生に用いる光の入射方向に対して定義される。
【００３８】
これらの記録トラック１１，１２は、所定の振幅，所定の周波数で半径方向に僅かに蛇行させてある（これをウォブルという）。また、記録トラック１１，１２の間のランドにはある規則にしたがった孤立ピット（アドレスピット）が形成され（これをランドプリピット，ＬＰＰ；Land Pre-Pitという）、このランドプリピットによってアドレス情報が予め記録されていても良い。なお、この他に必要に応じ凹凸ピット（プリピット）を有することもある。また、ウォブルの向きを反転させたり、周波数を変調したりして情報を記録することもできる。
【００３９】
次に、各層について説明する。
（１）第１基板１について
第１基板１は、透明であるほか複屈折率が小さいなど光学特性に優れることが望ましい
。また射出成形が容易であるなど成形性に優れることが望ましい。吸湿性が小さいと反りなどを低減できるので望ましい。
【００４０】
更に、光記録媒体がある程度の剛性を有するよう、形状安定性を備えるのが望ましい。但し第２基板８が十分な形状安定性を備えていれば、第１基板１は形状安定性が大きくなくても良い。
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。或いは、ガラス等の基体上に、光硬化樹脂等の放射線硬化樹脂からなる樹脂層を設けたもの等も使用できる。なお、放射線とは、光（紫外線、可視光線、赤外線など）、電子線などの総称である。
【００４１】
なお、光学特性、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
第１基板１は薄い方が好ましく、通常厚さは２ｍｍ以下が好ましく、より好ましくは１ｍｍ以下である。対物レンズと記録層の距離が小さく、また、基板が薄いほどコマ収差が小さい傾向があり、記録密度を上げやすい。但し光学特性、吸湿性、成形性、形状安定性を十分得るためにはある程度の厚みが必要であり、通常１０μｍ以上が好ましく、より好ましくは３０μｍ以上である。
【００４２】
本光記録媒体においては、第１記録層２及び第２記録層５の両方に良好に記録再生を行なうために、対物レンズと両記録層との距離を適宜調節することが望ましい。例えば、対物レンズの焦点が両記録層のほぼ中間地点となるようにすると、両記録層にアクセスしやすいので好ましい。
具体的に説明する。片面型ＤＶＤ−Ｒシステムにおいては、基板厚さ０．６ｍｍのときに対物レンズと記録層との距離が最適になるよう調節されている。
【００４３】
従って本層構成において片面型ＤＶＤ−Ｒ互換の場合は、第１基板１の厚さは、０．６ｍｍから、中間樹脂層４の膜厚の２分の１を減じた厚さであることが最も好ましい。このとき、両記録層のほぼ中間地点が約０．６ｍｍとなり、両記録層にフォーカスサーボがかけやすい。
なお、第２記録層５と半透明反射層３の間にバッファー層や保護層など他の層がある場合は、０．６ｍｍから、それらの層と中間樹脂層４の膜厚の和の２分の１を減じた厚さであることが最も好ましい。
【００４４】
第１基板１には凹凸が螺旋状又は同心円状に設けられ、溝及びランドを形成する。通常、このような溝及び／又はランドを記録トラックとして、第１記録層２に情報が記録・再生される。波長６５０ｎｍのレーザを開口数０．６から０．６５の対物レンズで集光して記録再生が行われるいわゆるＤＶＤ−Ｒディスクの場合、通常、第１記録層２は塗布形成されるので溝部で厚膜となり記録再生に適する。
【００４５】
本光記録媒体においては第１基板１の溝部、即ち光の入射方向に対して凸部を記録トラック１１とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００４６】
このような凹凸を有する基板は、コストの観点から、凹凸を持つスタンパから射出成形により製造するのが好ましい。ガラス等の基体上に光硬化樹脂等の放射線硬化樹脂からなる樹脂層を設ける場合は、樹脂層に記録トラックなどの凹凸を形成してもよい。
（２）第１記録層２について
第１記録層２は、通常、片面型記録媒体（例えばＣＤ−Ｒ，ＤＶＤ−Ｒ，ＤＶＤ＋Ｒ）等に用いる記録層と同程度の感度である。
【００４７】
また、良好な記録再生特性を実現するためには低発熱で高屈折率な色素であることが望ましい。
更に、第１記録層２と半透明反射層３との組合せにおいて、光の反射、透過及び吸収を適切な範囲とすることが望ましい。記録感度を高くし、かつ記録時の熱干渉を小さくできる。
【００４８】
このような有機色素材料としては、大環状アザアヌレン系色素（フタロシアニン色素、ナフタロシアニン色素、ポルフィリン色素など）、ピロメテン系色素、ポリメチン系色素（シアニン色素、メロシアニン色素、スクワリリウム色素など）、アントラキノン系色素、アズレニウム系色素、含金属アゾ系色素、含金属インドアニリン系色素などが挙げられる。
【００４９】
上述の各種有機色素の中でも含金属アゾ系色素は、記録感度に優れ、かつ耐久性，耐光性に優れるため好ましい。特に下記一般式（Ｉ）又は（ＩＩ）
【００５０】
【化１】
2008140545.tif 000003
【００５１】
（環Ａ1及びＡ2は、各々独立に置換基を有していてもよい含窒素芳香族複素環であり、環Ｂ1及びＢ2は、各々独立に置換基を有していてもよい芳香族環である。Ｘは、少なくとも２個のフッ素原子で置換されている炭素数１〜６のアルキル基である。）で表される化合物が好ましい。
本光記録媒体の記録層（なお、以下「記録層」という場合には、特にことわり書きのない限り、第１の記録層１と第２の記録層２とをともに指すものとする。）に使用される有機色素は、３５０〜９００ｎｍ程度の可視光〜近赤外域に最大吸収波長λｍａｘを有し、青色〜近マイクロ波レーザでの記録に適する色素化合物が好ましい。通常ＣＤ−Ｒに用いられるような波長７７０〜８３０ｎｍ程度の近赤外レーザ（代表的には７８０ｎｍ，８３０ｎｍなど）や、ＤＶＤ−Ｒに用いられるような波長６２０〜６９０ｎｍ程度の赤色レーザ（代表的には６３５ｎｍ，６５０ｎｍ，６８０ｎｍなど）、あるいは波長４１０ｎｍや５１５ｎｍなどのいわゆるブルーレーザなどでの記録に適する色素がより好ましい。
【００５２】
色素は一種でもよいし、同じ種類のものや異なる種類のものを二種以上混合して用いても良い。さらに、上記複数の波長の記録光に対し、各々での記録に適する色素を併用して
、複数の波長域でのレーザ光による記録に対応する光記録媒体とすることもできる。
また記録層は、記録層の安定や耐光性向上のために、一重項酸素クエンチャーとして遷移金属キレート化合物（例えば、アセチルアセトナートキレート、ビスフェニルジチオール、サリチルアルデヒドオキシム、ビスジチオ−α−ジケトン等）等や、記録感度向上のために金属系化合物等の記録感度向上剤を含有していても良い。ここで金属系化合物とは、遷移金属等の金属が原子、イオン、クラスター等の形で化合物に含まれるものを言い、例えばエチレンジアミン系錯体、アゾメチン系錯体、フェニルヒドロキシアミン系錯体、フェナントロリン系錯体、ジヒドロキシアゾベンゼン系錯体、ジオキシム系錯体、ニトロソアミノフェノール系錯体、ピリジルトリアジン系錯体、アセチルアセトナート系錯体、メタロセン系錯体、ポルフィリン系錯体のような有機金属化合物が挙げられる。金属原子としては特に限定されないが、遷移金属であることが好ましい。
【００５３】
さらに本光記録媒体の記録層には、必要に応じて、バインダー、レベリング剤、消泡剤等を併用することもできる。好ましいバインダーとしては、ポリビニルアルコール、ポリビニルピロリドン、ニトロセルロース、酢酸セルロース、ケトン系樹脂、アクリル系樹脂、ポリスチレン系樹脂、ウレタン系樹脂、ポリビニルブチラール、ポリカーボネート、ポリオレフィン等が挙げられる。
【００５４】
記録層の膜厚は、記録方法などにより適した膜厚が異なるため、特に限定するものではないが、十分な変調度を得るためには通常５ｎｍ以上が好ましく、より好ましくは１０ｎｍ以上であり、特に好ましくは２０ｎｍ以上である。但し、本光記録媒体においては適度に光を透過させるためには厚すぎない必要があるため、通常３μｍ以下であり、好ましくは１μｍ以下、より好ましくは２００ｎｍ以下である。記録層の膜厚は通常、溝部とランド部で異なるが、本光記録媒体において記録層の膜厚は基板の溝部における膜厚を言う。
【００５５】
記録層の成膜方法としては、真空蒸着法、スパッタリング法、ドクターブレード法、キャスト法、スピンコート法、浸漬法等一般に行われている薄膜形成法が挙げられるが、量産性、コスト面からはスピンコート法が好ましい。また厚みの均一な記録層が得られるという点からは、塗布法より真空蒸着法の方が好ましい。
スピンコート法による成膜の場合、回転数は１０〜１５０００ｒｐｍが好ましく、スピンコートの後、加熱あるいは溶媒蒸気にあてる等の処理を行っても良い。
【００５６】
ドクターブレード法、キャスト法、スピンコート法、浸漬法等の塗布方法により記録層を形成する場合の塗布溶媒としては、基板を侵さない溶媒であればよく、特に限定されない。例えば、ジアセトンアルコール、３−ヒドロキシ−３−メチル−２−ブタノン等のケトンアルコール系溶媒；メチルセロソルブ、エチルセロソルブ等のセロソルブ系溶媒；ｎ−ヘキサン、ｎ−オクタン等の鎖状炭化水素系溶媒；シクロヘキサン、メチルシクロヘキサン、エチルシクロヘキサン、ジメチルシクロヘキサン、ｎ−ブチルシクロヘキサン、ｔｅｒｔ−ブチルシクロヘキサン、シクロオクタン等の環状炭化水素系溶媒；テトラフルオロプロパノール、オクタフルオロペンタノール、ヘキサフルオロブタノール等のパーフルオロアルキルアルコール系溶媒；乳酸メチル、乳酸エチル、２−ヒドロキシイソ酪酸メチル等のヒドロキシカルボン酸エステル系溶媒等が挙げられる。
【００５７】
真空蒸着法の場合は、例えば有機色素と、必要に応じて各種添加剤等の記録層成分を、真空容器内に設置されたるつぼに入れ、真空容器内を適当な真空ポンプで１０-2〜１０-5Ｐａ程度にまで排気した後、るつぼを加熱して記録層成分を蒸発させ、るつぼと向き合って置かれた基板上に蒸着させることにより、記録層を形成する。
（３）半透明反射層３について
半透明反射層３は、ある程度の光透過率を持つ反射層である。つまり、光の吸収が小さく、光透過率が４０％以上あり、かつ適度な光反射率（通常、３０％以上）を持つ反射層
である。例えば、反射率の高い金属を薄く設けることにより適度な透過率を持たせることができる。また、ある程度の耐食性があることが望ましい。更に、半透明反射層３の上層（ここでは中間樹脂層４）の浸み出しにより第１記録層２が影響されないよう遮断性を持つことが望ましい。
【００５８】
高透過率を確保するために、半透明反射層３の厚さは通常、５０ｎｍ以下が好適である。より好適には３０ｎｍ以下である。更に好ましくは２０ｎｍ以下である。但し、第１記録層２が半透明反射層３の上層により影響されないために、ある程度の厚さが必要であり、通常３ｎｍ以上とする。より好ましくは５ｎｍ以上とする。
半透明反射層３の材料としては、再生光の波長で反射率が適度に高いもの、例えば、Ａｕ、Ａｌ、Ａｇ、Ｃｕ、Ｔｉ、Ｃｒ、Ｎｉ、Ｐｔ、Ｔａ、Ｐｄ、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を単独あるいは合金にして用いることが可能である。この中でもＡｕ、Ａｌ、Ａｇは反射率が高く半透明反射層３の材料として適している。これらを主成分とする以外に他成分を含んでいても良い。
【００５９】
なかでもＡｇを主成分としているものはコストが安い点、反射率が高い点から特に好ましい。ここで主成分とは含有率が５０％以上のものをいう。
半透明反射層３は膜厚が薄く、膜の結晶粒が大きいと再生ノイズの原因となるため、結晶粒が小さい材料を用いるのが好ましい。純銀は結晶粒が大きい傾向があるためＡｇは合金として用いるのが好ましい。
【００６０】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００６１】
半透明反射層３としてはＡｕのみからなる層は結晶粒が小さく、耐食性に優れ好適である。ただし、Ａｇ合金に比べて高価である。
また、半透明反射層３としてＳｉからなる層を用いることも可能である。
金属以外の材料で低屈折率薄膜と高屈折率薄膜を交互に積み重ねて多層膜を形成し、反射層として用いることも可能である。
【００６２】
半透明反射層３を形成する方法としては、例えば、スパッタ法、イオンプレーティング法、化学蒸着法、真空蒸着法等が挙げられる。また、第１基板１と第１記録層２との間、及び／又は、第１記録層２と半透明反射層３との間に、反射率の向上、記録特性の改善、密着性の向上等のために公知の無機系または有機系の中間層、接着層を設けることもできる。例えば、第１基板１上に、中間層（又は接着層），第１記録層２，中間層（又は接着層），半透明反射層３の順に積層させることで、第１基板１と第１記録層２との間に中間層（又は接着層）を設け、第１記録層２と半透明反射層３との間に中間層（又は接着層）を設けても良い。
（４）中間樹脂層４について
中間樹脂層（樹脂層）４は、透明である必要があるほか、凹凸により溝やピットが形成可能である必要がある。また接着力が高く、硬化接着時の収縮率が小さいと媒体の形状安
定性が高く好ましい。
【００６３】
そして、中間樹脂層４は、第２記録層５にダメージを与えない材料からなることが望ましい。但し、中間樹脂層４は通常、樹脂からなるため第２記録層５と相溶しやすく、これを防ぎダメージを抑えるために両層の間に後述のバッファー層を設けることが望ましい。
さらに、中間樹脂層４は、半透明反射層３にダメージを与えない材料からなることが望ましい。但し、ダメージを抑えるために両層の間に後述のバッファー層を設けることもできる。
【００６４】
本光記録媒体において、中間樹脂層４の膜厚は正確に制御することが好ましい。中間樹脂層４の膜厚は、通常５μｍ以上が好ましい。２層の記録層に別々にフォーカスサーボをかけるためには両記録層の間にある程度の距離がある必要がある。フォーカスサーボ機構にもよるが、通常５μｍ以上、好ましくは１０μｍ以上が必要である。一般に、対物レンズの開口数が高いほどその距離は小さくてよい傾向がある。但しあまり厚いと２層の記録層にフォーカスサーボを合わせるのに時間を要し、また対物レンズの移動距離も長くなるため好ましくない。また硬化に時間を要し生産性が低下するなどの問題があるため、通常、１００μｍ以下が好ましい。
【００６５】
中間樹脂層４には凹凸が螺旋状又は同心円状に設けられ、溝及びランドを形成する。通常、このような溝及び／又はランドを記録トラックとして、第２記録層５に情報が記録・再生される。通常、第２記録層５は塗布形成されるので溝部で厚膜となり記録又は再生に適する。本光記録媒体においては中間樹脂層４の溝部、即ち光の入射方向に対して凸部を記録トラック１２とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【００６６】
このような凹凸は、コストの観点から、凹凸を持つ樹脂スタンパ等から光硬化性樹脂などの硬化性樹脂に転写、硬化させて製造するのが好ましい。以下、このような方法を２Ｐ法（Photo Polymerization法）と称することがある。
中間樹脂層４の材料としては、例えば、熱可塑性樹脂、熱硬化性樹脂、電子線硬化性樹脂、紫外線硬化性樹脂（遅延硬化型を含む）などの放射線硬化性樹脂等を挙げることができる。なお、放射線とは、光（紫外線、可視光線、赤外線など）、電子線などの総称である。
【００６７】
熱可塑性樹脂、熱硬化性樹脂などは適当な溶剤に溶解して塗布液を調製し、これを塗布し、乾燥（加熱）することによって形成することができる。紫外線硬化性樹脂は、そのままもしくは適当な溶剤に溶解して塗布液を調製した後にこの塗布液を塗布し、紫外光を照射して硬化させることによって形成することができる。紫外線硬化性樹脂には様々な種類があり、透明であればいずれも用いうる。またそれらの材料を単独であるいは混合して用いても良いし、１層だけではなく多層膜にして用いても良い。
【００６８】
塗布方法としては、記録層と同様にスピンコート法やキャスト法等の塗布法等の方法が用いられるが、この中でもスピンコート法が好ましい。或いは、粘度の高い樹脂はスクリーン印刷等によっても塗布形成できる。紫外線硬化性樹脂は、生産性を２０〜４０℃において液状であるものを用いると、溶媒を用いることなく塗布でき好ましい。また、粘度は２０〜４０００ｍＰａ・ｓとなるように調製するのが好ましい。
【００６９】
さて、紫外線硬化性接着剤としては、ラジカル系紫外線硬化性接着剤とカチオン系紫外
線硬化性接着剤があるが、いずれも使用可能である。
ラジカル系紫外線硬化性接着剤としては、公知の全ての組成物を用いることができ、紫外線硬化性化合物と光重合開始剤を必須成分として含む組成物が用いられる。紫外線硬化性化合物としては、単官能（メタ）アクリレートや多官能（メタ）アクリレートを重合性モノマー成分として用いることができる。これらは、各々、単独または２種類以上併用して用いることができる。ここで、本発明では、アクリレートとメタアクリレートとを併せて（メタ）アクリレートと称する。
【００７０】
本光記録媒体に使用できる重合性モノマーとしては例えば以下のものが挙げられる。単官能（メタ）アクリレートとしては例えば、置換基としてメチル、エチル、プロピル、ブチル、アミル、２−エチルヘキシル、オクチル、ノニル、ドデシル、ヘキサデシル、オクタデシル、シクロヘキシル、ベンジル、メトキシエチル、ブトキシエチル、フェノキシエチル、ノニルフェノキシエチル、テトラヒドロフルフリル、グリシジル、２−ヒドロキシエチル、２−ヒドロキシプロピル、３−クロロ−２−ヒドロキシプロピル、ジメチルアミノエチル、ジエチルアミノエチル、ノニルフェノキシエチルテトラヒドロフルフリル，カプロラクトン変性テトラヒドロフルフリル、イソボルニル，ジシクロペンタニル，ジシクロペンテニル，ジシクロペンテニロキシエチル等の如き基を有する（メタ）アクリレート等が挙げられる。
【００７１】
また、多官能（メタ）アクリレートとしては例えば、１，３−ブチレングリコール、１，４−ブタンジオール、１，５−ペンタンジオール、３−メチル−１，５−ペンタンジオール、１，６−ヘキサンジオール、ネオペンチルグリコール、１，８−オクタンジオール、１，９−ノナンジオール、トリシクロデカンジメタノール、エチレングリコール、ポリエチレングリコール、プロピレングリコール、ジプロピレングリコール、トリプロピレングリコール、ポリプロピレングリコール等のジ（メタ）アクリレート、トリス（２−ヒドロキシエチル）イソシアヌレートのジ（メタ）アクリレート、ネオペンチルグリコール１モルに４モル以上のエチレンオキサイドもしくはプロピレンオキサイドを付加して得たジオールのジ（メタ）アクリレート、ビスフェノールＡ１モルに２モルのエチレンオキサイドもしくはプロピレンオキサイドを付加して得たジオールのジ（メタ）アクリレート、トリメチロールプロパン１モルに３モル以上のエチレンオキサイドもしくはプロピレンオキサイドを付加して得たトリオールのジまたはトリ（メタ）アクリレート、ビスフェノールＡ１モルに４モル以上のエチレンオキサイドもしくはプロピレンオキサイドを付加して得たジオールのジ（メタ）アクリレート、トリメチロールプロパントリ（メタ）アクリレート、ペンタエリスリトールトリ（メタ）アクリレート、ジペンタエリスリトールのポリ（メタ）アクリレート、エチレンオキサイド変性リン酸（メタ）アクリレート、エチレンオキサイド変性アルキル化リン酸（メタ）アクリレート等が挙げられる。
【００７２】
また、重合性モノマーと同時に併用できるものとしては、重合性オリゴマーとしてポリエステル（メタ）アクリレート、ポリエーテル（メタ）アクリレート、エポキシ（メタ）アクリレート、ウレタン（メタ）アクリレート等がある。
更に、本光記録媒体に使用する光重合開始剤は、用いる重合性オリゴマーおよび／または重合性モノマーに代表される紫外線硬化性化合物が硬化できる公知のものがいずれも使用できる。光重合開始剤としては、分子開裂型または水素引き抜き型のものが本光記録媒体に好適である。
【００７３】
このような例としては、ベンゾインイソブチルエーテル、２，４−ジエチルチオキサントン、２−イソプロピルチオキサントン、ベンジル、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド等が好適に用いられ、さらにこれら以
外の分子開裂型のものとして、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オンおよび２−メチル−１−（４−メチルチオフェニル）−２−モルフォリノプロパン−１−オン等を併用しても良いし、さらに水素引き抜き型光重合開始剤である、ベンゾフェノン、４−フェニルベンゾフェノン、イソフタルフェノン、４−ベンゾイル−４'−メチル−ジフェニルスルフィド等も併用できる。
【００７４】
また光重合開始剤に対する増感剤として例えば、トリメチルアミン、メチルジメタノールアミン、トリエタノールアミン、ｐ−ジエチルアミノアセトフェノン、ｐ−ジメチルアミノ安息香酸エチル、ｐ−ジメチルアミノ安息香酸イソアミル、Ｎ，Ｎ−ジメチルベンジルアミンおよび４，４'−ビス（ジエチルアミノ）ベンゾフェノン等の、前述重合性成分
と付加反応を起こさないアミン類を併用することもできる。もちろん、上記光重合開始剤や増感剤は、紫外線硬化性化合物への溶解性に優れ、紫外線透過性を阻害しないものを選択して用いることが好ましい。
【００７５】
また、カチオン系紫外線硬化性接着剤としては公知のすべての組成物を用いることができ、カチオン重合型の光開始剤を含むエポキシ樹脂がこれに該当する。カチオン重合型の光開始剤としては、スルホニウム塩、ヨードニウム塩およびジアゾニウム塩等がある。
ヨードニウム塩の１例を示すと以下の通りである。ジフェニルヨードニウム  ヘキサフルオロホスフェート、ジフェニルヨードニウム ヘキサフルオロアンチモネート、ジフェ
ニルヨードニウム テトラフルオロボレート、ジフェニルヨードニウム テトラキス（ペンタフルオロフェニル）ボレート、ビス（ドデシルフェニル）ヨードニウム ヘキサフルオ
ロホスフェート、ビス（ドデシルフェニル）ヨードニウム ヘキサフルオロアンチモネー
ト、ビス（ドデシルフェニル）ヨードニウム テトラフルオロボレート、ビス（ドデシル
フェニル）ヨードニウム
テトラキス（ペンタフルオロフェニル）ボレート、４−メチルフェニル−４−（１−メチルエチル）フェニルヨードニウム ヘキサフルオロホスフェート、４−メチルフェニル
−４−（１−メチルエチル）フェニルヨードニウム ヘキサフルオロアンチモネート、４
−メチルフェニル−４−（１−メチルエチル）フェニルヨードニウム テトラフルオロボ
レート、４−メチルフェニル−４−（１−メチルエチル）フェニルヨードニウム テトラ
キス（ペンタフルオロフェニル）ボレート、などが挙げられる。
【００７６】
エポキシ樹脂は、ビスフェノールＡ−エピクロールヒドリン型、脂環式エポキシ、長鎖脂肪族型、臭素化エポキシ樹脂、グリシジルエステル型、グリシジルエーテル型、複素環式系等種々のものがいずれであってもかまわない。
エポキシ樹脂としては、反射層にダメージを与えないよう、遊離したフリーの塩素および塩素イオン含有率が少ないものを用いるのが好ましい。塩素の量が１重量％以下が好ましく、より好ましくは０．５重量％以下である。
【００７７】
カチオン型紫外線硬化性樹脂１００重量部当たりのカチオン重合型光開始剤の割合は通常、０．１〜２０重量部であり、好ましくは０．２〜５重量部である。なお、紫外線光源の波長域の近紫外領域や可視領域の波長をより有効に利用するため、公知の光増感剤を併用することができる。この際の光増感剤としては、例えばアントラセン、フェノチアジン、ベンジルメチルケタール、ベンゾフェノン、アセトフェノン等が挙げられる。
【００７８】
また、紫外線硬化性接着剤には、必要に応じてさらにその他の添加剤として、熱重合禁止剤、ヒンダードフェノール、ヒンダードアミン、ホスファイト等に代表される酸化防止剤、可塑剤およびエポキシシラン、メルカプトシラン、（メタ）アクリルシラン等に代表されるシランカップリング剤等を、各種特性を改良する目的で配合することもできる。こ
れらは、紫外線硬化性化合物への溶解性に優れたもの、紫外線透過性を阻害しないものを選択して用いる。
（５）第２記録層５について
第２記録層５は、通常、片面型記録媒体（例えばＣＤ−Ｒ，ＤＶＤ−Ｒ，ＤＶＤ＋Ｒ）等に用いる記録層よりも高感度である。本光記録媒体においては、入射した光ビームのパワーが半透明反射層３の存在等で２分され、第１記録層２の記録と第２記録層５の記録とに振り分けられるため、約半分のパワーで記録するために、特に感度が高い必要があるのである。
【００７９】
また、良好な記録再生特性を実現するためには低発熱で高屈折率な色素であることが望ましい。
更に、第２記録層５と反射層６との組合せにおいて、光の反射及び吸収を適切な範囲とすることが望ましい。記録感度を高くし、かつ記録時の熱干渉を小さくできる。
第２記録層５の材料、成膜方法等についてはほぼ第１記録層２と同様に説明されるため、異なる点のみ説明する。
【００８０】
第２記録層５の膜厚は、記録方法などにより適した膜厚が異なるため、特に限定するものではないが、十分な変調度を得るためには通常１０ｎｍ以上が好ましく、より好ましくは３０ｎｍ以上であり、特に好ましくは５０ｎｍ以上である。但し、適度な反射率を得るためには厚すぎない必要があるため、通常３μｍ以下であり、好ましくは１μｍ以下、より好ましくは２００ｎｍ以下である。
【００８１】
第１記録層２と第２記録層５とに用いる材料は同じでも良いし異なっていてもよい。
（６）反射層６について
反射層６は、高反射率である必要がある。また、高耐久性であることが望ましい。
高反射率を確保するために、反射層６の厚さは通常、２０ｎｍ以上が好適である。より好適には３０ｎｍ以上である。更に好ましくは５０ｎｍ以上である。但し、生産のタクトタイムを短くし、コストを下げるためにはある程度薄いことが好ましく、通常４００ｎｍ以下とする。より好ましくは３００ｎｍ以下とする。
【００８２】
反射層６の材料としては、再生光の波長で反射率の十分高いもの、例えば、Ａｕ、Ａｌ、Ａｇ、Ｃｕ、Ｔｉ、Ｃｒ、Ｎｉ、Ｐｔ、Ｔａ及びＰｄの金属を単独あるいは合金にして用いることが可能である。この中でもＡｕ、Ａｌ、Ａｇは反射率が高く反射層６の材料として適している。これらを主成分とする以外に他成分として下記のものを含んでいても良い。他成分の例としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を挙げることができる。
【００８３】
中でもＡｇを主成分としているものはコストが安い点、高反射率が出やすい点、更に後で述べる印刷受容層を設ける場合には地色が白く美しいものが得られる点等から特に好ましい。ここで主成分とは含有率が５０％以上のものをいう。
反射層６は高耐久性（高耐食性）を確保するため、Ａｇは純銀よりもＡｇは合金として用いるのが好ましい。
【００８４】
中でもＡｇを主成分とし、Ｔｉ、Ｚｎ、Ｃｕ、Ｐｄ、Ａｕ及び希土類金属よりなる群から選ばれる少なくとも１種の元素を０．１〜１５原子％含有することが好ましい。Ｔｉ、Ｚｎ、Ｃｕ、Ｐｄ、Ａｕ及び希土類金属のうち２種以上含む場合は、各々０．１〜１５原子％でもかまわないが、それらの合計が０．１〜１５原子％であることが好ましい。
特に好ましい合金組成は、Ａｇを主成分とし、Ｔｉ、Ｚｎ、Ｃｕ、Ｐｄ、Ａｕよりなる群から選ばれる少なくとも１種の元素を０．１〜１５原子％含有し、かつ少なくとも１種
の希土類元素を０．１〜１５原子％含有するものである。希土類金属の中では、ネオジウムが特に好ましい。具体的には、ＡｇＰｄＣｕ、ＡｇＣｕＡｕ、ＡｇＣｕＡｕＮｄ、ＡｇＣｕＮｄなどである。
【００８５】
反射層６としてはＡｕのみからなる層は高耐久性（高耐食性）が高く好適である。ただし、Ａｇ合金に比べて高価である。
金属以外の材料で低屈折率薄膜と高屈折率薄膜を交互に積み重ねて多層膜を形成し、反射層６として用いることも可能である。
反射層６を形成する方法としては、例えば、スパッタ法、イオンプレーティング法、化学蒸着法、真空蒸着法等が挙げられる。また、反射層６の上下に反射率の向上、記録特性の改善、密着性の向上等のために公知の無機系または有機系の中間層又は接着層を設けることもできる。
（７）接着層７について
接着層７は、透明である必要はないが、接着力が高く、硬化接着時の収縮率が小さいと媒体の形状安定性が高く好ましい。
【００８６】
また、接着層７は反射層６にダメージを与えない材料からなることが望ましい。但し、ダメージを抑えるために両層の間に公知の無機系または有機系の保護層を設けることもできる。
本光記録媒体において、接着層７の膜厚は、通常２μｍ以上が好ましい。所定の接着力を得るためにはある程度の膜厚が必要である。より好ましくは５μｍ以上である。但し光記録媒体をできるだけ薄くするために、また硬化に時間を要し生産性が低下するなどの問題があるため、通常、１００μｍ以下が好ましい。
【００８７】
接着層７の材料は、中間樹脂層４の材料と同様のものが用いうるほか、感圧式両面テープ等も使用可能である。感圧式両面テープを反射層６と第２基板８との間に挟んで押圧することにより、接着層７を形成できる。
（８）第２基板８について
第２基板８は、光記録媒体がある程度の剛性を有するよう、形状安定性を備えるのが望ましい。即ち機械的安定性が高く、剛性が大きいことが好ましい。また接着層７との接着性が高いことが望ましい。
【００８８】
上述のように第１基板１が十分な形状安定性を備えていない場合は、第２基板８は特に形状安定性が高い必要がある。この点で吸湿性が小さいことが望ましい。但し第２基板８は透明である必要はない。また第２基板８は鏡面基板で良く、凹凸を形成する必要はないので射出成形による転写性は必ずしも良い必要はない。
このような材料としては、第１基板１に用いうる材料と同じものが用い得るほか、例えば、Ａｌを主成分とした例えばＡｌ−Ｍｇ合金等のＡｌ合金基板や、Ｍｇを主成分とした例えばＭｇ−Ｚｎ合金等のＭｇ合金基板、シリコン、チタン、セラミックスのいずれかからなる基板やそれらを組み合わせた基板などを用いることができる。
【００８９】
なお、成形性などの高生産性、コスト、低吸湿性、形状安定性などの点からはポリカーボネートが好ましい。耐薬品性、低吸湿性などの点からは、非晶質ポリオレフィンが好ましい。また、高速応答性などの点からは、ガラス基板が好ましい。
光記録媒体に十分な剛性を持たせるために、第２基板８はある程度厚いことが好ましく、厚さは０．３ｍｍ以上が好ましい。但し薄いほうが記録再生装置の薄型化に有利であり、好ましくは３ｍｍ以下である。より好ましくは１．５ｍｍ以下である。
【００９０】
第２基板８は凹凸を持たない鏡面基板で良いが、生産しやすさの観点から、射出成型により製造するのが望ましい。
第１基板１と第２基板８の好ましい組合せの一例は、第１基板１と第２基板８とが同一材料からなり、厚さも同一である。剛性が同等でバランスが取れているので、環境変化に対しても媒体として変形しにくく好ましい。この場合、環境が変化したときの変形の程度や方向も両基板で同様であると好ましい。
【００９１】
他の好ましい組合せの一例は、第１基板１が０．１ｍｍ程度と薄く、第２基板８が１．１ｍｍ程度と厚いものである。対物レンズが記録層に近づきやすく記録密度を上げやすいため好ましい。このとき第１基板１はシート状であってもよい。
（９）その他の層について
上記積層構造において、必要に応じて任意の他の層を挟んでも良い。或いは媒体の最外面に任意の他の層を設けても良い。具体的には、半透明反射層３と中間樹脂層４との間、中間樹脂層４と第２記録層５との間、反射層６と接着層７との間、などに中間層としてのバッファー層を設けてもよい。
【００９２】
バッファー層は２つの層の混和を防止し、相溶を防ぐものである。バッファー層が混和現象を防止する以外の他の機能を兼ねていても良い。また必要に応じてさらに他の中間層を挟んでも良い。
バッファー層の材料は、第２記録層５や中間樹脂層４と相溶せず、かつ、ある程度の光透過性をもつ必要があるが、公知の無機物及び有機物が用いうる。特性面からは、好ましくは無機物が用いられる。例えば、（１）金属又は半導体、（２）金属又は半導体の酸化物、窒化物、硫化物、酸硫化物、フッ化物又は炭化物、もしくは（３）非晶質カーボン、などが用いられる。中でも、ほぼ透明な誘電体からなる層や、ごく薄い金属層（合金を含む）が好ましい。
【００９３】
具体的には、酸化珪素、特に二酸化珪素や、酸化亜鉛、酸化セリウム、酸化イットリウム等の酸化物；硫化亜鉛、硫化イットリウムなどの硫化物；窒化珪素などの窒化物；炭化珪素；酸化物とイオウとの混合物（酸硫化物）；および後述の合金などが好適である。また、酸化珪素と硫化亜鉛との３０：７０〜９０：１０程度（重量比）の混合物も好適である。また、イオウと二酸化イットリウムと酸化亜鉛との混合物（Ｙ2Ｏ2Ｓ−ＺｎＯ）も好適である。
【００９４】
金属や合金としては、銀、又は銀を主成分とし更にチタン、亜鉛、銅、パラジウム、及び金よりなる群から選ばれる少なくとも１種の元素を０．１〜１５原子％含有するものが好適である。また、銀を主成分とし、少なくとも１種の希土類元素を０．１〜１５原子％含有するものも好適である。この希土類としては、ネオジウム、プラセオジウム、セリウム等が好適である。
【００９５】
その他、バッファー層作製時に記録層の色素を溶解しないようなものであれば樹脂層でも構わない。特に、真空蒸着やＣＶＤ法で作製可能な高分子膜が有用である。
バッファー層の厚さは２ｎｍ以上が好ましく、より好ましくは５ｎｍ以上である。バッファー層の厚さが過度に薄いと、上記の混和現象の防止が不十分となる虞がある。但し２０００ｎｍ以下が好ましく、より好ましくは５００ｎｍ以下である。バッファー層が過度に厚いと、混和防止には不必要であるばかりでなく、光の透過率を低下させる恐れもある。また無機物からなる層の場合には成膜に時間を要し生産性が低下したり、膜応力が高くなったりする虞があり２００ｎｍ以下が好ましい。特に、金属の場合は光の透過率を過度に低下させるため、２０ｎｍ以下程度が好ましい。
【００９６】
また、記録層や反射層を保護するために保護層を設けても良い。保護層の材料としては、記録層や反射層を外力から保護するものであれば特に限定されない。有機物質の材料としては、熱可塑性樹脂、熱硬化性樹脂、電子線硬化性樹脂、紫外線硬化性樹脂等を挙げる
ことができる。また、無機物質としては、酸化ケイ素、窒化ケイ素、ＭｇＦ2、ＳｎＯ2等が挙げられる。
【００９７】
熱可塑性樹脂、熱硬化性樹脂などは適当な溶剤に溶解して塗布液を調製し、これを塗布、乾燥することによって形成することができる。紫外線硬化性樹脂は、そのままもしくは適当な溶剤に溶解して塗布液を調製した後にこの塗布液を塗布し、ＵＶ光を照射して硬化させることによって形成することができる。紫外線硬化性樹脂としては、例えば、ウレタンアクリレート、エポキシアクリレート、ポリエステルアクリレートなどのアクリレート系樹脂を用いることができる。これらの材料は単独であるいは混合して用いても良いし、１層だけではなく多層膜にして用いても良い。
【００９８】
保護層の形成方法としては、記録層と同様にスピンコート法やキャスト法等の塗布法やスパッタ法や化学蒸着法等の方法が用いられるが、この中でもスピンコート法が好ましい。
保護層の膜厚は、一般に０．１〜１００μｍの範囲であるが、本光記録媒体においては、３〜５０μｍが好ましい。
【００９９】
更に、上記光記録媒体には、必要に応じて、記録・再生光の入射面ではない面に、インクジェット、感熱転写等の各種プリンタ、或いは各種筆記具にて記入（印刷）が可能な印刷受容層を設けてもよい。
或いは、本層構成の光記録媒体を２枚、第１基板１を外側にして貼合わせて、記録層を４層有する、より大容量媒体とすることもできる。
〔１−２〕タイプ２の光記録媒体
図２は本実施形態に係る光記録媒体（タイプ２）を示す模式的な断面図である。
【０１００】
本実施形態に係るタイプ２の光記録媒体（貼り合わせ型のデュアルレイヤタイプの片面入射型ＤＶＤ−Ｒ）は、ディスク状の透明な（光透過性の）第１基板（第１の基板，第１光透過性基板）２１上に、色素を含む第１記録層（第１の記録層，第１色素含有記録層）２２、半透明の反射層（以下、半透明反射層という。第１の反射層）２３、透明接着層（中間層）２４、バッファー層２８、色素を含む第２記録層（第２の記録層，第２色素含有記録層）２５、反射層（第２の反射層）２６、ディスク状の第２基板（第２の基板）２７をこの順に有してなる。光ビームは第１基板２１側から照射され、記録又は再生が行われる。第１実施形態と同様に、本実施形態においても、透明であるとは光記録媒体の記録・再生に用いる光ビームに対して透明であることを言う。
【０１０１】
つまり、貼り合わせ型のデュアルレイヤタイプの片面入射型ＤＶＤ−Ｒは、案内溝を有する第１基板２１上に、少なくとも、第１の色素を含有する第１色素含有記録層２２と半透明反射層２３とを順次積層させてなる第１情報記録体と、案内溝を有する第２基板２７上に、少なくとも、反射層２６と第２の色素を含有する第２色素含有記録層２５とを順次積層させてなる第２情報記録体とを備え、第１情報記録体と第２情報記録体とを基板と反対側の面を対向させ、光学的に透明な接着層を介して貼り合わされてなる。
【０１０２】
第１基板２１、第２基板２７上にはそれぞれ凹凸が形成され、それぞれ記録トラックを構成する。記録トラックは凸部及び凹部のどちらでも良いが、第１基板２１上の記録トラック３１は、光の入射方向に対して凸部で構成されるのが好ましく、第２基板２７上の記録トラック３２は、光の入射方向に対して凹部で構成されるのが好ましい。この他に必要に応じ凹凸ピットを有することもある。特に断らない限り、本実施形態において凹凸は記録・再生に用いる光の入射方向に対して定義される。
【０１０３】
次に、各層について説明する。
本実施形態に係る貼り合わせ型のデュアルレイヤタイプの片面入射型ＤＶＤ−Ｒの第１基板２１，第１記録層２２，半透明反射層２３，第２記録層２５，反射層２６はそれぞれ、第１実施形態に係る積層型のデュアルレイヤタイプの片面入射型ＤＶＤ−Ｒの第１基板１，第１記録層２，半透明反射層３，第２記録層５，反射層６と略同様の構成である。
【０１０４】
また、中間層としての透明接着層２４は、凹凸により溝やピットを形成する必要がないという以外は、第１実施形態における積層型のデュアルレイヤタイプの片面入射型ＤＶＤ−Ｒの中間樹脂層４の構成と略同様の構成である。なお、本光記録媒体では、上記の溝やピットは後述する第２基板２７に形成されている。
さらに、中間層としてのバッファー層２８は、第１実施形態において説明したバッファー層と略同様の構成である。なお、このバッファー層は必要に応じて形成するようにしても良い。
【０１０５】
第２基板２７は、光記録媒体がある程度の剛性を有するよう、形状安定性を備えるのが望ましい。即ち機械的安定性が高く、剛性が大きいことが好ましい。第１基板２１が十分な形状安定性を備えていない場合は、第２基板２７は特に形状安定性が高い必要がある。この点で吸湿性が小さいことが望ましい。
第２基板２７には凹凸（記録トラック）を形成するので成形性がよいことが望ましい。また、透明である必要はないが、製造工程上、透明であると、第２記録層２５の膜厚測定がしやすいので好ましい。
【０１０６】
このような材料としては、例えばアクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂等の樹脂からなるもの、ガラスからなるものを用いることができる。
第２基板２７には、凹凸が螺旋状又は同心円状に設けられ、溝及びランドを形成する。通常、このような溝及び／又はランドを記録トラックとして、第２記録層２５に情報が記録又は再生される。通常、第２記録層２５は塗布形成されるので溝部で厚膜となり記録又は再生に適する。本光記録媒体においては第２基板２７の溝部、即ち光の入射方向に対して凹部を記録トラック３２とするのが好ましい。ここで、凹部、凸部はそれぞれ光の入射方向に対する凹部、凸部を言う。通常、溝幅は５０〜５００ｎｍ程度であり、溝深さは１０〜２５０ｎｍ程度である。また記録トラックが螺旋状である場合、トラックピッチは０．１〜２．０μｍ程度であることが好ましい。この他に必要に応じ、ランドプリピット等の凹凸ピットを有してもよい。
【０１０７】
このような凹凸を有する第２基板２７は、コストの観点から、凹凸を持つスタンパから樹脂を用いて射出成形により製造するのが好ましい。ガラス等の基体上に光硬化性樹脂等の放射線硬化性樹脂からなる樹脂層を設ける場合は、樹脂層に記録トラックなどの凹凸を形成してもよい。
なお、本発明は、上述のような構成を有する色素含有記録層を含む追記型光記録媒体（ＤＶＤ−Ｒ）にデータを記録するのに適しているが、複数の記録層を備える光記録媒体（多層光記録媒体）であれば、他の構成の光記録媒体であっても本適用を適用することができる。例えば、記録層として例えば結晶状態の部分を未記録状態・消去状態とし、非晶質状態の部分を記録状態とする相変化型記録層を含む書換型光記録媒体（例えばＤＶＤ−ＲＷ，ＤＶＤ＋ＲＷ，ＤＶＤ−ＲＡＭなど）や記録層として磁性記録層を含む光磁気型の光記録媒体であっても良い。また、例えば、いわゆる基板面入射型の光記録媒体だけでなく、いわゆる膜面入射型の光記録媒体であっても良い。
〔２〕光記録媒体の記録装置
次に、本実施形態にかかる光記録媒体の記録装置について、図３を参照しながら説明する。
【０１０８】
図３に示すように、本光記録媒体の記録装置（ドライブ，ライタ）２５０は、光記録媒体２５１を回転駆動するスピンドルモータ２５２と、例えばレーザダイオード（ＬＤ）などの半導体レーザ（レーザ光源）２５３，ビームスプリッタ２５４，対物レンズ２５５，例えばフォトダイオード（ＰＤ）などの光検出器２５６を含む光ピックアップ２５７と、光ピックアップ２５７によって検出された信号を増幅するアンプ２５８と、半導体レーザ２５３を駆動するレーザドライバ（駆動部；例えば駆動回路）２５９と、制御演算部２６０［例えばＣＰＵ２６０Ａやメモリ（記憶部）２６０Ｂを含む］とを備えて構成される。
【０１０９】
そして、制御演算部２６０に記録命令（書込命令）が入力されると、制御演算部２６０がレーザドライバ２５９に制御信号を出力し、レーザドライバ２５９が半導体レーザ２５３を駆動する。これにより、半導体レーザ２５３からビームスプリッタ２５４，対物レンズ２５５などを介して光記録媒体２５１の所望の記録層にレーザ光（記録光）を照射し、データ記録を行なうようになっている。
【０１１０】
また、データ記録に際しては、光記録媒体２５１からの反射光の光量をビームスプリッタ２５４を介して光検出器２５６で検出し、アンプ２５８で増幅し、制御演算部２６０に入力するようになっている。そして、制御演算部２６０が、半導体レーザ２５３から出力されるレーザ光のパワー（レーザパワー）の最適化、即ちオプティマム・パワー・コントロール（最適パワー制御、ＯＰＣ：Optimum Power Control）を行なうようになっている
。
【０１１１】
なお、本実施形態において、ＯＰＣとは、記録のためのレーザパワーの最適値を求めるものであれば良く、その手法は問わない。また、ＯＰＣによって求めた最適値をＯＰＣ記録パワーという。
また、データ記録中は、制御演算部２６０は、光記録媒体２５１で反射して戻ってくる光（反射光；記録光の戻り光）の光量をモニタし、記録マークが形成される際の反射光量の低下（反射光量の変化量）が一定になるように（アシンメトリが一定になるように）、記録パワー（レーザパワー）を制御するようになっている。
【０１１２】
なお、本光記録媒体（タイプ１及びタイプ２）への記録は、記録層に直径０．５〜１μｍ程度に集束したレーザ光を第１基板１，２１側から照射することにより行なう。レーザ光の照射された部分には、レーザ光エネルギーの吸収による、分解、発熱、溶解等の記録層の熱的変形が起こり、光学特性が変化する。
記録された情報の再生は、レーザ光により、光学特性の変化が起きている部分と起きていない部分の反射率の差を読み取ることにより行なう。
【０１１３】
また、２層の記録層には以下のようにして個別に記録再生する。集束したレーザの集束位置をナイフエッジ法、非点収差法、フーコー法等で得られるフォーカスエラー信号によって、第１記録層２，２２と第２記録層５，２５とは区別できる。すなわち、レーザ光を集束する対物レンズを上下に動かすと、レーザの集束位置が第１記録層２，２２に対応する位置と第２記録層５，２５に対応する位置で、それぞれＳ字カーブが得られる。どちらのＳ字カーブをフォーカスサーボに用いるかにより、第１記録層２，２２と第２記録層５，２５のどちらを記録再生するかを選択可能である。
【０１１４】
タイプ１の光記録媒体において好ましくは、図１に示すように第１基板１及び中間樹脂層４にそれぞれ凹凸が形成されてなり、第１基板１の凸部及び中間樹脂層４の凸部を記録トラックとして記録再生を行なうものとする。通常、色素記録層は塗布形成されるので溝部で厚膜となり記録再生に適する。タイプ１の光記録媒体においては第１基板１の溝部、即ち光の入射方向に対して凸部を記録トラック１１とし、中間樹脂層４の溝部、即ち光の
入射方向に対して凸部を記録トラック１２とするのが好ましい。
【０１１５】
また、タイプ２の光記録媒体において好ましくは、図２に示すように第１基板２１及び第２基板２７にそれぞれ凹凸が形成されてなり、第１基板２１の凸部及び第２基板２７の凹部を記録トラックとして記録再生を行なうものとする。なお、第１記録層２２と第２記録層２５とでは、トラッキングサーボの極性を逆にする場合がある。タイプ２の光記録媒体においては第１基板２１の溝部、即ち光の入射方向に対して凸部を記録トラック３１とし、第２基板２７の溝部、即ち光の入射方向に対して凹部を記録トラック３２とするのが好ましい。
【０１１６】
本光記録媒体（タイプ１及びタイプ２）について使用されるレーザ光は、Ｎ2、Ｈｅ−
Ｃｄ、Ａｒ、Ｈｅ−Ｎｅ、ルビー、半導体、色素レーザなどが挙げられるが、軽量であること、コンパクトであること、取り扱いの容易さ等から半導体レーザが好適である。
使用されるレーザ光は、高密度記録のため波長は短いほど好ましいが、特に３５０〜５３０ｎｍのレーザ光が好ましい。かかるレーザ光の代表例としては、中心波長４０５ｎｍ、４１０ｎｍ、５１５ｎｍのレーザ光が挙げられる。
【０１１７】
波長３５０〜５３０ｎｍの範囲のレーザ光の一例は、４０５ｎｍ、４１０ｎｍの青色または５１５ｎｍの青緑色の高出力半導体レーザを使用することにより得ることができるが、その他、例えば、（ａ）基本発振波長が７４０〜９６０ｎｍの連続発振可能な半導体レーザ、または（ｂ）半導体レーザによって励起され、且つ基本発振波長が７４０〜９６０ｎｍの連続発振可能な固体レーザのいずれかを第二高調波発生素子（ＳＨＧ）により波長変換することによっても得ることができる。
【０１１８】
上記のＳＨＧとしては、反転対称性を欠くピエゾ素子であればいかなるものでもよいが、ＫＤＰ、ＡＤＰ、ＢＮＮ、ＫＮ、ＬＢＯ、化合物半導体などが好ましい。第二高調波の具体例としては、基本発振波長が８６０ｎｍの半導体レーザの場合、その倍波の４３０ｎｍ、また半導体レーザ励起の固体レーザの場合は、ＣｒドープしたＬｉＳｒＡｌＦ6結晶
（基本発振波長８６０ｎｍ）からの倍波の４３０ｎｍなどが挙げられる。
〔３〕光記録媒体の記録方法
次に、上述のように構成される光記録媒体の記録装置２５０の制御演算部２６０が所定のプログラムを実行して行なう処理（光記録媒体の記録方法）について、図４を参照しながら説明する。
【０１１９】
ここでは、上述のデュアルレイヤタイプの片面入射型ＤＶＤ−Ｒ（図１，図２参照）にデータを記録する場合であって、まず、レーザ光の入射側から遠い第２記録層５（２５）にデータを記録し、レーザ光の入射側に近い第１記録層２（２２）にデータを記録する場合を例に説明する。
なお、本光記録媒体の記録装置２５０では、光記録媒体２５１への記録前に（例えば媒体装着時など）、制御演算部２６０からの指令に基づいて、光記録媒体２５１に各記録層２，５（２２，２５）のレイヤ情報と関連づけて記録されている記録推奨パワーなどの記録条件を読み出し、これを各記録層２，５（２２，２５）のレイヤ情報と関連づけてメモリ２６０Ｂに記憶するようになっている。
【０１２０】
まず、光記録媒体の記録装置２５０は、図４に示すように、例えばパーソナルコンピュータ等のコンピュータから（又は、ドライブ自体に設けられているボタンなどの入力部を介して）記録指令が入力されると、制御演算部２６０が、例えばパーソナルコンピュータや他の機器から送られてきた記録データ（記録パルス，連続データ）を取り込んで、第１記録層２（２２）に記録する部分と第２記録層５（２５）に記録する部分とに分割する（ステップＳ１０）。この制御演算部２６０の機能をデータ分割部という。
【０１２１】
つまり、２層の記録面２，５（２２，２５）を備える光記録媒体２５１に記録するために送られてきた連続データを、前半の連続データと後半の連続データとに分割する。ここでは、前半の連続データを光入射側に近い第１記録層２（２２）に記録する部分とし、後半の連続データを光入射側から遠い第２記録層５（２５）に記録する部分とする。
次に、制御演算部２６０は、光ピックアップ２５７を制御することで、第１記録層２（２２）に対してフォーカスサーボをかけ、レーザドライバ２５９を介して半導体レーザ２５３から出力されるレーザ光のパワー（レーザパワー）のオプティマム・パワー・コントロールを行なう（ステップＳ２０）。なお、ここでは、制御演算部２６０は、第１記録層２（２２）のレイヤ情報に基づいてメモリ２６０Ｂから記録推奨パワーを読み出し、読み出した記録推奨パワーに基づいてＯＰＣを行なうようになっている。また、この制御演算部２６０の機能をオプティマム・パワー・コントロール部（最適パワー制御部）という。
【０１２２】
つまり、制御演算部２６０は、フォーカスサーボをかけた第１記録層２（２２）に設けられているパワーキャリブレーションエリア（ＰＣＡ、記録パワー校正領域）で、レーザパワーを変えて試し書きを行なうべく、光ピックアップ２５７を制御して、レーザパワーを第１記録層２（２２）に応じた最適パワー（最適記録パワー，ＯＰＣ記録パワー）に調整する。そして、制御演算部２６０は、ＯＰＣを行なうことで得られた第１記録層２（２２）に対する最適パワー（最適パワーに対応するレーザ電流値）をメモリ２６０Ｂに記憶する。
【０１２３】
次に、制御演算部２６０は、光ピックアップ２５７を制御することで、第２記録層５（２５）に対してフォーカスサーボをかけ、レーザドライバ２５９を介して半導体レーザ２５３から出力されるレーザ光のパワー（レーザパワー）のオプティマム・パワー・コントロール（ＯＰＣ）を行なう（ステップＳ３０）。なお、ここでは、制御演算部２６０は、第２記録層５（２５）のレイヤ情報に基づいてメモリ２６０Ｂから記録推奨パワーを読み出し、読み出した記録推奨パワーに基づいてＯＰＣを行なうようになっている。また、この制御演算部２６０の機能をオプティマム・パワー・コントロール部（最適パワー制御部）という。
【０１２４】
つまり、制御演算部２６０は、フォーカスサーボをかけた第２記録層５（２５）に設けられているＰＣＡで、レーザパワーを変えて試し書きを行なうべく、光ピックアップ２５７を制御して、レーザパワーを第２記録層５（２５）に応じた最適パワー（最適記録パワー，ＯＰＣ記録パワー）に調整する。そして、制御演算部２６０は、ＯＰＣを行なうことで得られた第２記録層５（２５）に対する最適パワー（最適パワーに対応するレーザ電流値）をメモリ２６０Ｂに記憶する。
【０１２５】
なお、上述のステップＳ２０，Ｓ３０において各記録層２，５（２２，２５）のＯＰＣ記録パワーを設定するため、これらのステップをＯＰＣ記録パワー設定ステップという。
このように、全ての記録層［ここでは第１記録層２（２２）及び第２記録層５（２５）］についてＯＰＣを行なった後で、それぞれの記録層２，５（２２，２５）にデータを記録することになるが、上述したように、ここでは、まず第２記録層５（２５）にデータの記録を行ない、連続して第１記録層２（２２）にデータの記録を行なうようにしている。
【０１２６】
つまり、まず、制御演算部２６０は、メモリ２６０Ｂに記憶されている第２記録層５（２５）の最適パワーを読み出し、レーザドライバ２５９を介して半導体レーザ２５３を駆動し、半導体レーザ２５３の記録パワーを第２記録層５（２５）の最適パワー（最適パワーに対応するレーザ電流値）に制御して、第２記録層５（２５）に後半の連続データを記録する（ステップＳ４０）。また、この制御演算部２６０の機能をデータ記録部という。
【０１２７】
そして、第２記録層５（２５）への記録に続き、連続して第１記録層２（２２）への記録を行なう際に、制御演算部２６０は、半導体レーザ２５３の記録パワーを第１記録層２（２２）の記録開始時の記録パワー（記録パワーに対応するレーザ電流値）に制御して、第１記録層２（２２）に前半の連続データを記録する（ステップＳ５０）。
したがって、前述した記録装置及び記録方法によれば、各記録層２，５（２２，２５）にデータを記録する際の記録パワーを精度良く調整できるようになり、各記録層２，５（２２，２５）に対して良好な記録を行なえるようになるという利点がある。この結果、例えば複数の記録層２，５（２２，２５）を有する光記録媒体２５１の各記録層２，５（２２，２５）に連続記録する場合に、各記録層２，５（２２，２５）に対して良好な記録を行なえるようになる
なお、上記では、第２記録層５，２５への記録の後、第１記録層２，２２への記録を行なう場合について説明したが、第１記録層２，２２への記録の後、第２記録層５，２５への記録を行なうことももちろん可能である。
〔４〕光記録媒体のエリア構成及び記録パワーの最適化
通常、第１基板１，２１側からレーザ光を照射して媒体に記録を行なう場合、まず第１記録層２，２２への記録を行ない、第１記録層２，２２において記録可能な領域がなくなったら、第２記録層５，２５への記録を開始するようになっている。
【０１２８】
以下、本光記録媒体（タイプ１及びタイプ２）において、第１記録層２，２２の内周側から外周側へ記録が行なわれた後、第２記録層５，２５の内周側から外周側へ記録が行なわれる場合のエリア構成及び記録パワー（強度）の最適化について説明する。
本光記録媒体では、各記録層に実際に記録を開始する前に、パワーキャリブレーションエリア（ＰＣＡ）を利用して、各記録層におけるレーザ光の記録パワーの最適化（ＯＰＣ）を行なうようになっている。
【０１２９】
図５（Ａ）に示すように、本光記録媒体の第１記録層２，２２には、ディスクの内周側から外周側へ向かって、所定エリア５１、ＰＣＡ５２、ユーザデータエリア５３が設けられている。
また、第２記録層５，２５には、ディスクの内周側から外周側へ向かって、ＰＣＡ６１、所定エリア６２、ユーザデータエリア６３が設けられている。
【０１３０】
なお、ユーザデータエリア５３，６３には、リードインエリア、情報記録エリア、リードアウトエリア等が含まれる。
図５（Ｂ）に示すように、第１記録層２，２２のＰＣＡ５２は、レーザ光を照射して試し書きを行なうためのＯＰＣ領域５２ａと、試し書き回数等を記録しておくためのＯＰＣ管理領域５２ｂとに区分けされ、各領域５２ａ，５２ｂはそれぞれ複数のパーティションから構成されており、１回のＯＰＣ処理につき、各領域５２ａ，５２ｂにおいて１個のパーティション（２４１８ｂｙｔｅ）が使用されるようになっている。なお、例えば、ＯＰＣ領域５２ａのパーティションは外周側から内周側へ向かって使用され、ＯＰＣ管理領域５２ｂのパーティションは内周側から外周側へ向かって使用されるようになっている。
【０１３１】
したがって、レーザ光により第１記録層２，２２に記録を行なう場合には、まずＯＰＣ領域５２ａ内の１個のパーティションに様々なパワーのレーザ光を照射して試し書きを行ない、この試し書きされた記録の再生を繰り返し、再生を最も適切に行ない得るレーザ光の記録パワーを決定するとともに、ＯＰＣ管理領域５２ｂ内の１個のパーティションに試し書き回数等のＯＰＣ領域５２ａの使用状況を記録するようになっている。
【０１３２】
また、第２記録層５，２５のＰＣＡ６１は、レーザ光を照射して試し書きを行なうためのＯＰＣ領域６１ａと、試し書き回数等を記録しておくためのＯＰＣ管理領域６１ｂとに区分けされ、各領域６１ａ，６１ｂはそれぞれ複数のパーティションから構成されており
、１回のＯＰＣ処理につき、各領域６１ａ，６１ｂにおいて１個のパーティションが使用されるようになっている。なお、例えば、ＯＰＣ領域６１ａのパーティションは内周側から外周側へ向かって使用され、ＯＰＣ管理領域６１ｂのパーティションは外周側から内周側へ向かって使用されるようになっている。
【０１３３】
したがって、レーザ光により第２記録層５，２５に記録を行なう場合には、まずＯＰＣ領域６１ａ内の１個のパーティションに様々なパワーのレーザ光を照射して試し書きを行ない、この試し書きされた記録の再生を繰り返し、再生を最も適切に行ない得るレーザ光の記録パワーを決定するとともに、ＯＰＣ管理領域６１ｂ内の１個のパーティションに試し書き回数等のＯＰＣ領域６１ａの使用状況を記録するようになっている。
【０１３４】
ところで、第２記録層５，２５の所定エリア６２は、何も記録されていない状態（未記録状態）になっている。上述したように、本光記録媒体では、第１記録層２，２２への記録が終了してから第２記録層５，２５への記録を行なうので、第１記録層２，２２の記録時には第２記録層５，２５は未記録状態であるため、所定エリア６２を第２記録層５，２５と同様の未記録状態としておくことで、より実際の記録状況に近づけた第１記録層２，２２のＯＰＣ処理を行なえるようになっている。
【０１３５】
一方、第１記録層２，２２の所定エリア５１は、予め記録された状態となっている。上述したように、本光記録媒体では、第１記録層２，２２への記録が終了してから第２記録層５，２５への記録を行なうので、第２記録層５，２５の記録時には第１記録層はすでに記録された状態となっているため、所定エリア５１を第１記録層２，２２と同様の記録された状態としておくことで、より実際の記録状況に近づけた第２記録層５，２５のＯＰＣ処理を行なえるようになっている。
【０１３６】
なお、適用する媒体がＤＶＤ−Ｒである場合には、所定エリア５１には、ＤＶＤ−Ｒの記録方式であるＥＦＭ＋に合わせた記録がされていることが望ましい。例えば、マーク及びスペースの長さが、記録の基準クロック周期をＴとして３Ｔ〜１４Ｔの範囲内であり、且つ、マーク／スペースの比が０．９〜１．１であることが好ましく、より好ましくは１．０（即ちデューティ５０％）であるのが良い。このように、適用する媒体のデータ記録に一般的に使われる記録方式と同じ方式で記録されていることが望ましい。
【０１３７】
また、所定エリア５１の記録を、ディスク製造時にメーカー側で行なうようにしても良いし、ユーザーがディスク購入後にドライブで行なうようにしても良く、いずれにしても、第２記録層５，２５の１回目のＯＰＣ処理を開始する前に、第１記録層２，２２の所定エリア５１が予め記録された状態となっていれば良い。
本光記録媒体は、上述のように構成されているので、第１記録層２，２２への記録を開始する前に、第１記録層２，２２のＰＣＡ５２において第１記録層２，２２のＯＰＣ処理を行なう。このとき、レーザ光から見て第１記録層２，２２のＯＰＣ領域５２ａと重なる第２記録層５，２５が未記録状態になっているので、第１記録層２，２２のＯＰＣ処理をより実際の記録状況に近づけて行なうことができ、第１記録層２，２２の最適な記録パワーを決定することができる。
【０１３８】
以後、第１記録層２，２２への記録を開始する際は、第１記録層２，２２のＰＣＡ５２において第１記録層２，２２のＯＰＣ処理を行なう。
第１記録層２，２２全域への記録が終了したら、第２記録層５，２５のＰＣＡ６１において第２記録層５，２５のＯＰＣ処理を行なう。このとき、レーザ光から見て第２記録層５，２５のＯＰＣ領域６１ａと重なる第１記録層２，２２が予め記録された状態になっているので、第２記録層５，２５のＯＰＣ処理をより実際の記録状況に近づけて行なうことができ、第２記録層５，２５の最適な記録パワーを決定することができる。
【０１３９】
また、第２記録層５，２５のＯＰＣ領域６１ａを、第１記録層２，２２のＯＰＣ領域５２ａと重ならないように設けておくことで、第１記録層２，２２のＯＰＣ領域５２ａの記録状態に影響されずに第２記録層５，２５のＯＰＣ処理を行なうことができるので、上記と同様に第２記録層５，２５の最適な記録パワーを決定することができる。
なお、上述したように、レーザ光の推奨記録パワー値を予め媒体に記録しておいてももちろん良い。具体的には、各記録層２，５（２２，２５）の推奨記録パワー値を、各記録層２，５（２２，２５）の記録トラックのウォブルによって記録しておく。あるいは、各記録層２，５（２２，２５）の記録管理領域〔ＲＭＡ；Recording Management Area：Ｐ
ＣＡとリードインエリアとの間に形成された領域（図示省略）〕にプリピット（ランドプリピット）等によって記録しておく。このように記録された推奨記録パワー値を、ＯＰＣ処理を実行する際に参照すれば、より迅速に最適な記録パワーを決定することが可能となる。
【０１４０】
なお、本実施形態では、第１記録層２，２２のＯＰＣ領域５２ａと重なる第２記録層５，２５を未記録状態としたが、少なくとも一部が未記録状態となっていることが好ましい。また、第２記録層５，２５のＯＰＣ領域６１ａと重なる第１記録層２，２２を予め記録された状態としたが、少なくとも一部が予め記録された状態になっていることが好ましい。
【０１４１】
また、本実施形態では、第１記録層２，２２への記録が完了した後第２記録層５，２５への記録を行なう場合について説明したが、第２記録層５，２５への記録が完了した後第１記録層２，２２への記録を行なうようにしても良い。
ただし、この場合、第２記録層５，２５への記録を行なっている時には第１記録層２，２２は未記録状態であるので、第１記録層２，２２の所定エリア５１を未記録状態としておくことが好ましい。このようにすれば、第２記録層５，２５のＯＰＣ処理をより実際の記録状況に近づけて行なうことができ、第２記録層５，２５の最適なパワーを決定することが可能となる。
【０１４２】
また、第２記録層５，２５への記録が完了し、第１記録層２，２２への記録を行なう時には第２記録層５，２５はすでに記録された状態であるので、第１記録層２，２２への記録を開始する前に第２記録層５，２５の所定エリア６２を予め記録された状態にしておくことが好ましい。このようにすれば、第１記録層２，２２のＯＰＣ処理をより実際の記録状況に近づけて行なうことができ、第１記録層２，２２の最適なパワーを決定することが可能となる。
【０１４３】
なお、図５（Ａ）に示すように、ＰＣＡ５２，６１は、レーザ光のアクセスの容易さから、記録を開始する位置に近い位置に設けるのが好ましいが、ＰＣＡ５２，６１を所定エリア５１，６２とともに、ユーザデータエリア５３，６３よりも外周側に設けるようにしても良い。ただし、この場合、レーザ光のアクセスを容易にするため、第１記録層２，２２及び第２記録層５，２５への記録を外周側から内周側へ向かって行なうことが好ましい。
【０１４４】
また、ＰＣＡ５２，６１及び所定エリア５１，６２を、内周側及び外周側の両方に設けたり、半径方向において複数設けたりしても良い。
〔５〕他の光記録媒体の記録方法
以下、本実施形態にかかる他の光記録媒体の記録方法、即ち、上述のように構成される光記録媒体の記録装置２５０の制御演算部２６０が所定のプログラムを実行して行なう処理について、図８，図９（Ａ），図９（Ｂ），図１０（Ａ），図１０（Ｂ）を参照しながら説明する。
【０１４５】
ここでは、上述のデュアルレイヤタイプの片面入射型ＤＶＤ−Ｒ（図１，図２参照）にデータを記録する場合であって、まず、レーザ光の入射側から遠い第２記録層５（２５）にデータを記録し、連続して、レーザ光の入射側に近い第１記録層２（２２）にデータを記録する場合を例に説明する。なお、連続して記録するとは、第１記録層２（２２）の記録終了時から第２記録層５（２５）の記録開始時までの間にあまり時間があかないこと（所定時間内であること；例えば１０分以内、好ましくは５分以内であること）を意味する。
【０１４６】
なお、本光記録媒体の記録装置２５０では、光記録媒体２５１への記録前に（例えば媒体装着時など）、制御演算部２６０からの指令に基づいて、光記録媒体２５１に各記録層２，５（２２，２５）のレイヤ情報と関連づけて記録されている記録推奨パワーなどの記録条件を読み出し、これを各記録層２，５（２２，２５）のレイヤ情報と関連づけてメモリ２６０Ｂに記憶するようになっている。
【０１４７】
まず、光記録媒体の記録装置２５０は、図８に示すように、例えばパーソナルコンピュータ等のコンピュータから（又は、ドライブ自体に設けられているボタンなどの入力部を介して）記録指令が入力されると、制御演算部２６０が、例えばパーソナルコンピュータや他の機器から送られてきた記録データ（記録パルス，連続データ）を取り込んで、第１記録層２（２２）に記録する部分と第２記録層５（２５）に記録する部分とに分割する（ステップＡ１０）。この制御演算部２６０の機能をデータ分割部という。
【０１４８】
つまり、２層の記録面２，５（２２，２５）を備える光記録媒体５１に記録するために送られてきた連続データを、前半の連続データと後半の連続データとに分割する。ここでは、前半の連続データを光入射側に近い第１記録層２（２２）に記録する部分とし、後半の連続データを光入射側から遠い第２記録層５（２５）に記録する部分とする。
次に、制御演算部２６０は、光ピックアップ２５７を制御することで、第１記録層２（２２）に対してフォーカスサーボをかけ、レーザドライバ２５９を介して半導体レーザ２５３から出力されるレーザ光のパワー（レーザパワー）のオプティマム・パワー・コントロール（最適パワー制御，ＯＰＣ；Optimum Power Control）を行なう（ステップＡ２０
）。なお、ここでは、制御演算部２６０は、第１記録層２（２２）のレイヤ情報に基づいてメモリ２６０Ｂから記録推奨パワーを読み出し、読み出した記録推奨パワーに基づいてＯＰＣを行なうようになっている。また、この制御演算部２６０の機能をオプティマム・パワー・コントロール部（最適パワー制御部）という。
【０１４９】
つまり、制御演算部２６０は、フォーカスサーボをかけた第１記録層２（２２）のデータ記録領域の内周側（内周部）及び外周側（外周部）に設けられているパワーキャリブレーションエリア（ＰＣＡ；Power Calibration Area，記録パワー校正領域）で、レーザパワーを変えて試し書きを行なうべく、光ピックアップ２５７を制御して、レーザパワーを第１記録層２（２２）に応じた最適パワー（最適記録パワー，ＯＰＣ記録パワー）に調整する。そして、制御演算部２６０は、ＯＰＣを行なうことで得られた第１記録層２（２２）に対する最適パワー（最適パワーに対応するレーザ電流値）をメモリ２６０Ｂに記憶する。
【０１５０】
なお、ここでは、第１記録層２（２２）のデータ記録領域の内周側及び外周側に設けられているそれぞれのＰＣＡでＯＰＣを行なっているが、これに限られるものではなく、例えば第１記録層２（２２）の内周側に設けられているＰＣＡだけでＯＰＣを行なうようにしても良いし、例えば第１記録層２（２２）の外周側に設けられているＰＣＡだけでＯＰＣを行なうようにしても良い。
【０１５１】
次に、制御演算部２６０は、光ピックアップ２５７を制御することで、第２記録層５（２５）に対してフォーカスサーボをかけ、レーザドライバ２５９を介して半導体レーザ２５３から出力されるレーザ光のパワー（レーザパワー）のオプティマム・パワー・コントロール（ＯＰＣ）を行なう（ステップＡ３０）。なお、ここでは、制御演算部２６０は、第２記録層５（２５）のレイヤ情報に基づいてメモリ２６０Ｂから記録推奨パワーを読み出し、読み出した記録推奨パワーに基づいてＯＰＣを行なうようになっている。また、この制御演算部２６０の機能をオプティマム・パワー・コントロール部（最適パワー制御部）という。
【０１５２】
つまり、制御演算部２６０は、フォーカスサーボをかけた第２記録層５（２５）のデータ記録領域の内周側及び外周側に設けられているＰＣＡで、レーザパワーを変えて試し書きを行なうべく、光ピックアップ５７を制御して、レーザパワーを第２記録層５（２５）に応じた最適パワー（最適記録パワー，ＯＰＣ記録パワー）に調整する。そして、制御演算部２６０は、ＯＰＣを行なうことで得られた第２記録層５（２５）に対する最適パワー（最適パワーに対応するレーザ電流値）をメモリ２６０Ｂに記憶する。
【０１５３】
なお、ここでは、第２記録層５（２５）の内周側及び外周側に設けられているそれぞれのＰＣＡでＯＰＣを行なっているが、これに限られるものではなく、例えば第２記録層５（２５）の内周側に設けられているＰＣＡだけでＯＰＣを行なうようにしても良いし、例えば第２記録層５（２５）の外周側に設けられているＰＣＡだけでＯＰＣを行なうようにしても良い。
【０１５４】
なお、上述のステップＡ２０，Ａ３０において各記録層２，５（２２，２５）のＯＰＣ記録パワーを設定するため、これらのステップをＯＰＣ記録パワー設定ステップという。
このように、本実施形態では、全ての記録層［ここでは第１記録層２（２２）及び第２記録層５（２５）］についてＯＰＣを行なった後で、それぞれの記録層２，５（２２，２５）にデータを記録することになるが、ここでは、以下のように、まず第２記録層５（２５）にデータの記録を行ない、連続して第１記録層２（２２）にデータの記録を行なうようにしている。
【０１５５】
つまり、まず、制御演算部２６０は、メモリ２６０Ｂに記憶されている第２記録層５（２５）の最適パワーを読み出し、レーザドライバ２５９を介して半導体レーザ２５３を駆動し、半導体レーザ２５３の記録パワーを第２記録層５（２５）の最適パワー（最適パワーに対応するレーザ電流値）に制御して、第２記録層５（２５）の外周側から内周側に向かって後半の連続データを記録する（ステップＡ４０）。また、この制御演算部２６０の機能をデータ記録部という。
【０１５６】
また、本実施形態では、データ記録中に、ランニングＯＰＣを行なうようになっている。つまり、制御演算部２６０は、第２記録層５（２５）への記録中に、光記録媒体２５１で反射して戻ってくる光（反射光；記録光の戻り光）の光量をモニタし、記録マークが形成される際の反射光量の低下（反射光量の変化量）が一定になるように（アシンメトリが一定になるように）、記録パワー（レーザパワー）を制御するようにしている。これにより、最適なアシンメトリでの記録が可能となる。なお、この制御演算部２６０の機能をランニングＯＰＣ部という。
【０１５７】
ここで、図９（Ａ）はランニングＯＰＣを行なう場合の光記録媒体２５１の半径方向位置と半導体レーザ２５３に供給されるレーザ電流値との関係を示す図である。なお、図９（Ａ）では、ＯＰＣで得られた最適パワー（ＯＰＣ記録パワー）に対応するレーザ電流値をＩｏｐｃとしている。
光記録媒体２５１の内周側から外周側に向かってデータの記録を行なう場合にランニン
グＯＰＣを行なうと、図９（Ａ）に示すように、半導体レーザ２５３に供給されるレーザ電流値は徐々に大きくなっていく傾向がある。
【０１５８】
このため、ランニングＯＰＣを行ないながら記録すると、データ記録終了側（ここでは光記録媒体２５１の外周側）では、実際のレーザ電流値は、ＯＰＣで得られた最適パワー（ＯＰＣ記録パワー）に対応するレーザ電流値Ｉｏｐｃよりも大きくなってしまう。
また、図９（Ｂ）はランニングＯＰＣを行なう場合の光記録媒体２５１の半径方向位置と半導体レーザ２５３から出力されるレーザ光の記録パワー（レーザパワー）との関係を示す図である。なお、図９（Ｂ）では、ＯＰＣで得られた最適パワー（ＯＰＣ記録パワー）をＰｏｐｃとしている。
【０１５９】
光記録媒体２５１の内周側から外周側に向かってデータの記録を行なう場合にランニングＯＰＣを行なうと、図９（Ｂ）に示すように、半導体レーザ２５３から出力されるレーザ光の記録パワー（レーザパワー）は徐々に大きくなっていく傾向がある。
このため、ランニングＯＰＣを行ないながら記録すると、データ記録終了側（ここでは光記録媒体２５１の外周側）では、実際の記録パワーは、ＯＰＣで得られた最適パワー（ＯＰＣ記録パワー）Ｐｏｐｃよりも大きくなってしまう。なお、ランニングＯＰＣでは反射光量に基づいてフィードバック制御を行なうため、ランニングＯＰＣを行ないながら記録するとアシンメトリは一定になる。
【０１６０】
このように、ランニングＯＰＣを行なうと、ＯＰＣで得られた最適パワー（ＯＰＣ記録パワー）Ｐｏｐｃ（これに対応するレーザ電流値Ｉｏｐｃ）に対して実際の記録パワー（実際のレーザ電流値）が変化してしまうため、後述するようにして、第１記録層２（２２）への記録開始時の記録パワー（レーザ電流値）を設定するようにしている。
なお、ここでは、ランニングＯＰＣを行なっているが、ランニングＯＰＣは行なわなくても良い。
【０１６１】
ここで、図１０（Ａ）はランニングＯＰＣを行なわない場合の光記録媒体２５１の半径方向位置と半導体レーザ２５３に供給されるレーザ電流値との関係を示す図である。なお、図１０（Ａ）では、ＯＰＣで得られた最適パワー（ＯＰＣ記録パワー）に対応するレーザ電流値をＩｏｐｃとしている。
光記録媒体２５１の内周側から外周側に向かってデータの記録を行なう場合にランニングＯＰＣを行なわないと、図１０（Ａ）に示すように、半導体レーザ２５３に供給されるレーザ電流値は一定である。
【０１６２】
このため、データ記録終了側（ここでは光記録媒体２５１の外周側）では、実際のレーザ電流値は、ＯＰＣで得られた最適パワー（ＯＰＣ記録パワー）に対応するレーザ電流値Ｉｏｐｃと同じである。
また、図１０（Ｂ）はランニングＯＰＣを行なわない場合の光記録媒体２５１の半径方向位置と半導体レーザ２５３から出力されるレーザ光の記録パワー（レーザパワー）との関係を示す図である。なお、図１０（Ｂ）では、ＯＰＣで得られた最適パワー（ＯＰＣ記録パワー）をＰｏｐｃとしている。
【０１６３】
光記録媒体２５１の内周側から外周側に向かってデータの記録を行なう場合にランニングＯＰＣを行なわないと、図１０（Ｂ）に示すように、半導体レーザ２５３から出力されるレーザ光の記録パワー（レーザパワー）は徐々に小さくなっていく傾向がある。
このため、データ記録終了側（ここでは光記録媒体２５１の外周側）では、実際の記録パワーは、ＯＰＣで得られた最適パワー（ＯＰＣ記録パワー）Ｐｏｐｃよりも小さくなってしまう。なお、ランニングＯＰＣを行なわないで記録するとアシンメトリは徐々に下がっていくことになる。
【０１６４】
このように、ランニングＯＰＣを行なわないと、ＯＰＣで得られた最適パワー（ＯＰＣ記録パワー）Ｐｏｐｃに対応するレーザ電流値Ｉｏｐｃに対して実際のレーザ電流値は変化しないものの、ＯＰＣで得られた最適パワー（ＯＰＣ記録パワー）Ｐｏｐｃに対して実際の記録パワーは変化してしまうため、後述するようにして、第１記録層２（２２）への記録開始時の記録パワー（レーザ電流値）を設定するようにしている。
【０１６５】
次に、第２記録層５（２５）へのデータの記録が終了すると、制御演算部２６０は、以下のようにして、第１記録層２（２２）への記録開始時の記録パワー（ここでは記録パワーに対応するレーザ電流値）を設定する（ステップＡ５０，Ａ６０；記録開始時記録パワー設定ステップ）。なお、この制御演算部２６０の機能を記録開始時記録パワー設定部という。
【０１６６】
具体的には、制御演算部２６０は、第２記録層５（２５）の記録終了時に、ステップＡ３０で予め求めておいた第２記録層５（２５）の最適パワーに対して実際の記録パワーがどの程度変化したかを求める（ステップＡ５０）。
ここで、本実施形態では、制御演算部２６０は、第２記録層５（２５）の最後のデータ（第２記録層に記録する記録データの最終アドレスに記録するデータ）を記録するために設定した記録パワー（記録パワーに対応するレーザ電流値）をメモリ２６０Ｂに記憶させるようにしている。
【０１６７】
そして、第２記録層５（２５）の記録終了時に、制御演算部２６０は、メモリ２６０Ｂに記憶されている第２記録層５（２５）の最適パワー（ＯＰＣ記録パワー；最適パワーに対応するレーザ電流値）及び第２記録層５（２５）の最後のデータを記録するために設定した記録パワー（記録パワーに対応するレーザ電流値）を読み出し、第２記録層５（２５）の最後のデータを記録するのに用いた記録パワーと、予め求めておいた第２記録層５（２５）の最適パワーとの差をとって、第２記録層５（２５）の最適パワーに対する実際の記録パワーの変化量を算出する（ステップＡ５０）。なお、この制御演算部２６０の機能を記録パワー変化量算出部という。
【０１６８】
本実施形態では、ランニングＯＰＣを行ないながら記録するため、制御演算部２６０は、第２記録層５（２５）の最後のデータを記録するのに用いた記録パワー（記録パワーに対応するレーザ電流値）から予め求めておいた第２記録層５（２５）の最適パワー（最適パワーに対応するレーザ電流値）を引いて、第２記録層５（２５）の最適パワーに対する実際の記録パワーの変化量を算出する。
【０１６９】
なお、ランニングＯＰＣを行なわない場合には、後述するように、温度センサやモニタ用フォトダイオードなどを設けて、半導体レーザ２５３の温度や半導体レーザ２５３からの出射光量に基づいて実際の記録パワー（の変化）を推定し、推定された実際の記録パワーと、予め求めておいた第２記録層５（２５）の最適パワーとの差をとって、第２記録層５（２５）の最適パワーに対する実際の記録パワーの変化量を算出すれば良い。
【０１７０】
ここでは、上述のように、第２記録層５（２５）のデータ記録領域の内周側及び外周側に設けられているそれぞれのＰＣＡでＯＰＣを行ない、それぞれのＯＰＣで求められた最適パワーがメモリ２６０Ｂに記憶されているため、制御演算部２６０は、これらの最適パワー（最適パワーに対応するレーザ電流値）の双方を読み出し、第２記録層５（２５）の最後のデータを記録した部分の半径方向位置と第２記録層５（２５）の内周側及び外周側のＰＣＡの半径方向位置とに基づいて、第２記録層５（２５）の最後のデータを記録した部分に距離的に近いＰＣＡで行なわれたＯＰＣで求められた最適パワー（最適パワーに対応するレーザ電流値）を求め、これを第２記録層５（２５）の最適パワー（最適パワーに
対応するレーザ電流値）として用いるようにしている。
【０１７１】
なお、第２記録層５（２５）の最適パワーの決定方法はこれに限られるものではない。例えば、第２記録層５（２５）の内周側のＰＣＡの半径方向位置及びこのＰＣＡで行なわれたＯＰＣで求められた最適パワー（最適パワーに対応するレーザ電流値）と、第２記録層５（２５）の外周側のＰＣＡの半径方向位置及びこのＰＣＡで行なわれたＯＰＣで求められて最適パワー（最適パワーに対応するレーザ電流値）との間を内挿（補間）し、第２記録層５（２５）の最後のデータを記録した部分（半径方向位置）の最適パワーを求め、これを第２記録層５（２５）の最適パワーとして用いるようにしても良い。
【０１７２】
また、第２記録層５（２５）の半径方向位置を考慮せずに、例えば、第２記録層５（２５）の内周側及び外周側のＰＣＡで行なわれたＯＰＣで求められた最適パワーの平均値を求め、これを第２記録層５（２５）の最適パワーとして用いるようにしても良い。
また、上述したように、本実施形態では、ランニングＯＰＣで、第２記録層５（２５）にデータを記録する際に反射光量に基づいて記録パワーを設定するようにしているため、実際の記録パワー（の変化）を、第２記録層５（２５）に最後のデータを記録する時（記録終了時）の光記録媒体からの反射光量に基づいて推定していることになる。なお、この制御演算部２６０の機能を記録パワー推定部という。
【０１７３】
また、本実施形態のようにランニングＯＰＣを行ないながら記録する場合には、ランニングＯＰＣとして行なわれる反射光量に基づくフィードバック制御によって、レーザ電流値が図９（Ａ）に示すように設定されることになる［これは実際の記録パワーの変化［図９（Ｂ）参照］に応じて変化する］ため、実際の記録パワー（の変化）を、ランニングＯＰＣで設定されるレーザ電流値［即ち、第２記録層５（２５）に最後のデータを記録するために設定したレーザ電流値］に基づいて推定していることにもなる。なお、この制御演算部２６０の機能を記録パワー推定部という。
【０１７４】
つまり、ランニングＯＰＣとして行なわれる反射光量に基づくフィードバック制御によって第２記録層５（２５）の最後のデータを記録するために設定された実際のレーザ電流値と、第２記録層５（２５）のＯＰＣで得られた最適パワー（ＯＰＣ記録パワー）に対応するレーザ電流値との差をとって、第２記録層５（２５）の最適パワーに対応するレーザ電流値に対する実際のレーザ電流値の変化量を算出することは、第２記録層５（２５）の最後のデータを記録するのに用いた記録パワーと、予め求めておいた第２記録層５（２５）の最適パワーとの差をとって、第２記録層５（２５）の最適パワーに対する実際の記録パワーの変化量を算出することに等しい。
【０１７５】
なお、ここでは、ランニングＯＰＣとして行なわれる反射光量に基づくフィードバック制御によって実際の記録パワーの変化量を求めているが、例えば反射光量と記録パワーとの関係を予めテーブルとして用意しておき、これを用いて実際の記録パワーの変化量を求めるようにしても良い。
次に、制御演算部２６０は、第２記録層５（２５）の最適パワーに対する実際の記録パワーの変化に基づいて、予め求めておいた第１記録層２（２２）の最適パワーを補正して、第１記録層２（２２）の記録開始時の記録パワーを設定する（ステップＡ６０）。この制御演算部２６０の機能を最適パワー補正部という。
【０１７６】
つまり、制御演算部２６０は、メモリ２６０Ｂに記憶されている第１記録層２（２２）の最適パワー（ＯＰＣ記録パワー；最適パワーに対応するレーザ電流値）を読み出し、第２記録層５（２５）の最適パワーに対する実際の記録パワーの変化量を加えて、第１記録層２（２２）の記録開始時の記録パワーを設定する。
そして、第２記録層５（２５）への記録に続き、連続して第１記録層２（２２）への記
録を行なう際に、制御演算部２６０は、第１記録層２（２２）についてＯＰＣを行なうことなく、半導体レーザ２５３の記録パワーを第１記録層２（２２）の記録開始時の記録パワー（記録パワーに対応するレーザ電流値）に制御して、第１記録層２（２２）の外周側から内周側に向かって前半の連続データを記録する（ステップＡ７０）。なお、本実施形態では、第１記録層２（２２）への記録の際にも、上述の第２記録層５（２５）への記録の場合と同様に、ランニングＯＰＣを行なうようになっている。また、この制御演算部２６０の機能をデータ記録部という。
【０１７７】
なお、上述の実施形態では、光記録媒体２５１への記録前に全ての記録層についてＯＰＣを行なった後で、それぞれの記録層にデータを記録するようになっているが、必ずしも全ての記録層について予めＯＰＣを行なっておく必要はなく、少なくとも２つの記録層に対して連続記録を行なう場合に、一の記録層の記録終了後、他の記録層の記録開始前にＯＰＣを行なわなければ良い。
【０１７８】
また、上述の実施形態では、ランニングＯＰＣを行ないながら記録するため、第１記録層２（２２）の記録開始時に、制御演算部２６０が、第２記録層５（２５）の最後のデータを記録するために設定した記録パワーと、第２記録層５（２５）の最適パワーとの差をとって、第２記録層５（２５）の最適パワーに対する実際の記録パワーの変化量を算出することで、実際の記録パワーの変化を、第２記録層５（２５）への記録終了時の光記録媒体２５１からの反射光量に基づいて推定しているが、これに限られるものではない。
【０１７９】
例えば、制御演算部２６０が、実際の記録パワーの変化を、第２記録層５（２５）への記録終了後の半導体レーザ（レーザ光源）２５３の温度に基づいて推定するようにしても良い。この方法は、ランニングＯＰＣを行ないながら記録する場合だけでなく、ランニングＯＰＣを行なわないで記録する場合にも適用できる。なお、この制御演算部２６０の機能を記録パワー推定部という。
【０１８０】
この場合、例えば図３中、二点鎖線で示すように、半導体レーザ２５３の温度を検出する温度センサ２６１を設け、制御演算部２６０が、第２記録層５（２５）への記録時に半導体レーザ２５３の温度をモニタし、第２記録層５（２５）への記録終了後（例えば最後のデータを記録した時）の半導体レーザ２５３の温度に基づいて、実際の記録パワーの変化を推定するのが好ましい。
【０１８１】
例えば、半導体レーザ２５３の温度と記録パワーの関係［半導体レーザ２５３の温度変化によるレーザパワーの変化量の関係］を示すテーブルや半導体レーザ２５３の温度と出力されるレーザ光の波長の関係（半導体レーザ２５３の温度変化による色素含有記録層５（２５）に含まれる色素のレーザ光吸収量の変化量の関係）を示すテーブルなどを予め用意しておき、これらのテーブルを用いて、第２記録層５（２５）への記録終了後の半導体レーザ２５３の温度に基づいて、実際の記録パワーの変化を推定すれば良い。
【０１８２】
また、例えば、制御演算部２６０が、実際の記録パワーの変化を、第２記録層５（２５）に最後のデータを記録する時（記録終了時）の半導体レーザ（レーザ光源）２５３の出射光量に基づいて推定するようにしても良い。この方法は、ランニングＯＰＣを行ないながら記録する場合だけでなく、ランニングＯＰＣを行なわないで記録する場合にも適用できる。なお、この制御演算部２６０の機能を記録パワー推定部という。
【０１８３】
この場合、例えば図３中、二点鎖線で示すように、半導体レーザ２５３から出射される出射光の光量を検出するモニタ用フォトダイオード（モニタ用光検出器）２６２を設け、制御演算部２６０が、第２記録層５（２５）への記録時に半導体レーザ２５３から出射される出射光量をモニタし、第２記録層５（２５）への記録終了時の半導体レーザ２５３の
出射光量に基づいて、実際の記録パワーの変化を推定するようにすれば良い。
【０１８４】
例えば、半導体レーザ２５３の出射光量と記録パワーの関係を示すテーブルを予め用意しておき、このテーブルを用いて、第２記録層５（２５）への記録終了時の半導体レーザ２５３の温度に基づいて、実際の記録パワーの変化を推定すれば良い。
さらに、例えば、制御演算部２６０が、実際の記録パワーの変化を、第２記録層５（２５）に最後のデータを記録する時（記録終了時）までのレーザ照射時間に基づいて推定するようにしても良い。この方法は、ランニングＯＰＣを行ないながら記録する場合だけでなく、ランニングＯＰＣを行なわないで記録する場合にも適用できる。なお、この制御演算部２６０の機能を記録パワー推定部という。
【０１８５】
この場合、制御演算部２６０が、第２記録層５（２５）への記録時にレーザ照射時間をモニタし、第２記録層５（２５）への記録終了時までのレーザ照射時間に基づいて、実際の記録パワーの変化を推定するようにすれば良い。
例えば、レーザ照射時間と記録パワーの関係を示すテーブルを予め用意しておき、このテーブルを用いて、レーザ照射時間に基づいて、実際の記録パワーの変化を推定すれば良い。
【０１８６】
さらに、これらの方法を組み合わせて用いても良い。例えば、制御演算部２６０が、実際の記録パワーの変化を、第２記録層５（２５）への記録終了時の半導体レーザ（レーザ光源）２５３の出射光量、及び、第２記録層５（２５）への記録終了後の半導体レーザ（レーザ光源）５３の温度に基づいて推定するようにしても良い。この方法は、ランニングＯＰＣを行ないながら記録する場合だけでなく、ランニングＯＰＣを行なわないで記録する場合にも適用できる。なお、この制御演算部２６０の機能を記録パワー推定部という。
【０１８７】
なお、上述の実施形態では、２つの記録層２，５（２２，２５）を有する光記録媒体２５１に連続してデータを記録する場合を例に説明したため、隣接する記録層に連続してデータを記録するようになっているが、例えば３つ以上の記録層を有する光記録媒体に連続してデータを記録する場合には、必ずしも隣接する記録層に連続して記録するものでなくても良い。
〔Ｂ〕第２実施形態
本実施形態は、第１実施形態とは光記録媒体のエリア構成及び記録パワーの最適化が異なる。
【０１８８】
したがって、以下、本実施形態に係る光記録媒体のエリア構成及び記録パワーの最適化について説明する。
図６（Ａ）に示すように、本光記録媒体（タイプ１及びタイプ２）では、第１記録層２，２２の内周側から外周側へ記録が行なわれた後、第２の記録層５，２５の外周側から内周側へ記録が行なわれる。
【０１８９】
また、本記録媒体においても、各記録層に実際に記録を開始する前に、ＰＣＡを利用して、各記録層におけるレーザ光の記録パワーの最適化（ＯＰＣ）を行なうようになっている。
図６（Ａ）に示すように、本光記録媒体の第１記録層２，２２には、ディスクの内周側から外周側へ向かって、ＰＣＡ７１、ユーザデータエリア７３、所定エリア７５が設けられている。
【０１９０】
また、第２記録層５，２５には、ディスクの内周側から外周側へ向かって、所定エリア８１、ユーザデータエリア８３、ＰＣＡ８５が設けられている。
なお、ユーザデータエリア７３，８３には、リードインエリア、情報記録エリア、リー
ドアウトエリア等が含まれる。
図６（Ｂ）に示すように、第１記録層２，２２のＰＣＡ７１は、レーザ光を照射して試し書きを行なうためのＯＰＣ領域７１ａと、試し書き回数等を記録しておくためのＯＰＣ管理領域７１ｂとに区分けされ、各領域７１ａ，７１ｂはそれぞれ複数のパーティションから構成されており、１回のＯＰＣ処理につき、各領域７１ａ，７１ｂにおいて１個のパーティション（２４１８ｂｙｔｅ）が使用されるようになっている。なお、例えば、ＯＰＣ領域７１ａのパーティションは外周側から内周側へ向かって使用され、ＯＰＣ管理領域７１ｂのパーティションは内周側から外周側へ向かって使用されるようになっている。
【０１９１】
したがって、レーザ光により第１記録層２，２２に記録を行なう場合には、まずＯＰＣ領域７１ａ内の１個のパーティションに様々なパワーのレーザ光を照射して試し書きを行ない、この試し書きされた記録の再生を繰り返し、再生を最も適切に行ない得るレーザ光の記録パワーを決定するとともに、ＯＰＣ管理領域７１ｂ内の１個のパーティションに試し書き回数等のＯＰＣ領域７１ａの使用状況を記録するようになっている。
【０１９２】
また、図６（Ｃ）に示すように、第２記録層５，２５のＰＣＡ８５は、レーザ光を照射して試し書きを行なうためのＯＰＣ領域８５ａと、試し書き回数等を記録しておくためのＯＰＣ管理領域８５ｂとに区分けされ、各領域８５ａ，８５ｂはそれぞれ複数のパーティションから構成されており、１回のＯＰＣ処理につき、各領域８５ａ，８５ｂにおいて１個のパーティションが使用されるようになっている。なお、例えば、ＯＰＣ領域８５ａのパーティションは内周側から外周側へ向かって使用され、ＯＰＣ管理領域８５ｂのパーティションは外周側から内周側へ向かって使用されるようになっている。
【０１９３】
したがって、レーザ光により第２記録層５，２５に記録を行なう場合には、まずＯＰＣ領域８５ａ内の１個のパーティションに様々なパワーのレーザ光を照射して試し書きを行ない、この試し書きされた記録の再生を繰り返し、再生を最も適切に行ない得るレーザ光の記録パワーを決定するとともに、ＯＰＣ管理領域８５ｂ内の１個のパーティションに試し書き回数等のＯＰＣ領域８５ａの使用状況を記録するようになっている。
【０１９４】
ところで、第２記録層５，２５の所定エリア８１は、何も記録されていない状態（未記録状態）になっている。上述したように、本光記録媒体では、第１記録層２，２２への記録が終了してから第２記録層５，２５への記録を行なうので、第１記録層２，２２の記録時には第２記録層５，２５は未記録状態であるため、所定エリア８１を第２記録層５，２５と同様の未記録状態としておくことで、より実際の記録状況に近づけた第１記録層２，２２のＯＰＣ処理を行なえるようになっている。
【０１９５】
一方、第１記録層２，２２の所定エリア７５は、予め記録された状態となっている。上述したように、本光記録媒体では、第１記録層２，２２への記録が終了してから第２記録層５，２５への記録を行なうので、第２記録層５，２５の記録時には第１記録層はすでに記録された状態となっているため、所定エリア７５を第１記録層２，２２と同様の記録された状態としておくことで、より実際の記録状況に近づけた第２記録層５，２５のＯＰＣ処理を行なえるようになっている。
【０１９６】
なお、適用する媒体がＤＶＤ−Ｒである場合には、所定エリア７５には、ＤＶＤ−Ｒの記録方式であるＥＦＭ＋に合わせた記録がされていることが望ましい。例えば、マーク及びスペースの長さが、記録の基準クロック周期をＴとして３Ｔ〜１４Ｔの範囲内であり、且つ、マーク／スペースの比が０．９〜１．１であることが好ましく、より好ましくは１．０（即ちデューティ５０％）であるのが良い。このように、適用する媒体のデータ記録に一般的に使われる記録方式と同じ方式で記録されていることが望ましい。
【０１９７】
また、所定エリア７５の記録を、ディスク製造時にメーカー側で行なうようにしても良いし、ユーザーがディスク購入後にドライブで行なうようにしても良く、いずれにしても、第２記録層５，２５の１回目のＯＰＣ処理を開始する前に、所定エリア７５が予め記録された状態となっていれば良い。
本光記録媒体は、上述のように構成されているので、第１記録層２，２２への記録を開始する前に、第１記録層２，２２のＰＣＡ７１において第１記録層２，２２のＯＰＣ処理を行なう。このとき、レーザ光から見て第１記録層２，２２のＯＰＣ領域７１ａと重なる第２記録層５，２５が未記録状態になっているので、第１記録層２，２２のＯＰＣ処理をより実際の記録状況に近づけて行なうことができ、第１記録層２，２２の最適な記録パワーを決定することができる。
【０１９８】
以後、第１記録層２，２２への記録を開始する際は、第１記録層２，２２のＰＣＡ７１において第１記録層２，２２のＯＰＣ処理を行なう。
第１記録層２，２２全域への記録が終了したら、第２記録層５，２５のＰＣＡ８５において第２記録層５，２５のＯＰＣ処理を行なう。このとき、レーザ光から見て第２記録層５，２５のＯＰＣ領域８５ａと重なる第１記録層２，２２が予め記録された状態になっているので、第２記録層５，２５のＯＰＣ処理をより実際の記録状況に近づけて行なうことができ、第２記録層５，２５の最適な記録パワーを決定することができる。
【０１９９】
また、第２記録層５，２５のＯＰＣ領域８５ａを、第１記録層２，２２のＯＰＣ領域７１ａと重ならないように設けておくことで、第１記録層２，２２のＯＰＣ領域７１ａの記録状態に影響されずに第２記録層５，２５のＯＰＣ処理を行なうことができるので、第２記録層５，２５の最適な記録パワーを決定することができる。
また、第１実施形態と同様に、レーザ光の推奨記録パワー値を予め媒体に記録しておいても良い。こうすることで、ＯＰＣ処理を実行する際に、この推奨記録パワー値を参照すれば、より迅速に最適な記録パワーを決定することが可能となる。
【０２００】
なお、本実施形態では、第１記録層２，２２のＯＰＣ領域７１ａと重なる第２記録層５，２５を未記録状態としたが、少なくとも一部が未記録状態となっていることが好ましい。また、第２記録層５，２５のＯＰＣ領域８５ａと重なる第１記録層２，２２を予め記録された状態としたが、少なくとも一部が予め記録された状態になっていることが好ましい。
【０２０１】
また、図６（Ａ）に示すように、ＰＣＡ７１，８５は、レーザ光のアクセスの容易さから、記録を開始する位置に近い位置に設けるのが好ましい。
〔Ｃ〕第３実施形態
本実施形態は、第１実施形態とは光記録媒体のエリア構成及び記録パワーの最適化が異なる。
【０２０２】
したがって、以下、本実施形態に係る光記録媒体のエリア構成及び記録パワーの最適化について説明する。
図７（Ａ）に示すように、本光記録媒体（タイプ１及びタイプ２）では、第２記録層５，２５の内周側から外周側へ記録が行なわれた後、第１記録層２，２２の外周側から内周側へ記録が行なわれる。
【０２０３】
また、本記録媒体においても、各記録層に実際に記録を開始する前に、ＰＣＡを利用して、各記録層におけるレーザ光の記録パワーの最適化（ＯＰＣ）を行なうようになっている。
図７（Ａ）に示すように、本光記録媒体の第２記録層５，２５には、ディスクの内周側から外周側へ向かって、ＰＣＡ１０１、ユーザデータエリア１０３、所定エリア１０５が
設けられている。
【０２０４】
また、第１記録層２，２２には、ディスクの内周側から外周側へ向かって、所定エリア９１、ユーザデータエリア９３、ＰＣＡ９５が設けられている。
なお、ユーザデータエリア９３，１０３には、リードインエリア、情報記録エリア、リードアウトエリア等が含まれる。
図７（Ｂ）に示すように、第２記録層５，２５のＰＣＡ１０１は、レーザ光を照射して試し書きを行なうためのＯＰＣ領域１０１ａと、試し書き回数等を記録しておくためのＯＰＣ管理領域１０１ｂとに区分けされ、各領域１０１ａ，１０１ｂはそれぞれ複数のパーティションから構成されており、１回のＯＰＣ処理につき、各領域１０１ａ，１０１ｂにおいて１個のパーティション（２４１８ｂｙｔｅ）が使用されるようになっている。なお、例えば、ＯＰＣ領域１０１ａのパーティションは外周側から内周側へ向かって使用され、ＯＰＣ管理領域１０１ｂのパーティションは内周側から外周側へ向かって使用されるようになっている。
【０２０５】
したがって、レーザ光により第２記録層５，２５に記録を行なう場合には、まずＯＰＣ領域１０１ａ内の１個のパーティションに様々なパワーのレーザ光を照射して試し書きを行ない、この試し書きされた記録の再生を繰り返し、再生を最も適切に行ない得るレーザ光の記録パワーを決定するとともに、ＯＰＣ管理領域１０１ｂ内の１個のパーティションに試し書き回数等のＯＰＣ領域１０１ａの使用状況を記録するようになっている。
【０２０６】
また、図７（Ｃ）に示すように、第１記録層２，２２のＰＣＡ９５は、レーザ光を照射して試し書きを行なうためのＯＰＣ領域９５ａと、試し書き回数等を記録しておくためのＯＰＣ管理領域９５ｂとに区分けされ、各領域９５ａ，９５ｂはそれぞれ複数のパーティションから構成されており、１回のＯＰＣ処理につき、各領域９５ａ，９５ｂにおいて１個のパーティション（２４１８ｂｙｔｅ）が使用されるようになっている。なお、例えば、ＯＰＣ領域９５ａのパーティションは内周側から外周側へ向かって使用され、ＯＰＣ管理領域９５ｂのパーティションは外周側から内周側へ向かって使用されるようになっている。
【０２０７】
したがって、レーザ光により第１記録層２，２２に記録を行なう場合には、まずＯＰＣ領域９５ａ内の１個のパーティションに様々なパワーのレーザ光を照射して試し書きを行ない、この試し書きされた記録の再生を繰り返し、再生を最も適切に行ない得るレーザ光の記録パワーを決定するとともに、ＯＰＣ管理領域９５ｂ内の１個のパーティションに試し書き回数等のＯＰＣ領域９５ａの使用状況を記録するようになっている。
【０２０８】
ところで、第１記録層２，２２の所定エリア９１は、何も記録されていない状態（未記録状態）になっている。上述したように、本光記録媒体では、第２記録層５，２５への記録が終了してから第１記録層２，２２への記録を行なうので、第２記録層５，２５の記録時には第１記録層２，２２は未記録状態であるため、所定エリア９１を第１記録層２，２２と同様の未記録状態としておくことで、より実際の記録状況に近づけた第２記録層５，２５のＯＰＣ処理を行なえるようになっている。
【０２０９】
一方、第２記録層５，２５の所定エリア１０５は、予め記録された状態となっている。上述したように、本光記録媒体では、第２記録層５，２５への記録が終了してから第１記録層２，２２への記録を行なうので、第１記録層２，２２の記録時には第２記録層５，２５はすでに記録された状態となっているため、所定エリア１０５を第２記録層５，２５と同様の記録された状態としておくことで、より実際の記録状況に近づけた第１記録層２，２２のＯＰＣ処理を行なえるようになっている。
【０２１０】
なお、適用する媒体がＤＶＤ−Ｒである場合には、所定エリア１０５には、ＤＶＤ−Ｒの記録方式であるＥＦＭ＋に合わせた記録がされていることが望ましい。例えば、マーク及びスペースの長さが、記録の基準クロック周期をＴとして３Ｔ〜１４Ｔの範囲内であり、且つ、マーク／スペースの比が０．９〜１．１であることが好ましく、より好ましくは１．０（即ちデューティ５０％）であるのが良い。このように、適用する媒体のデータ記録に一般的に使われる記録方式と同じ方式で記録されていることが望ましい。
【０２１１】
また、所定エリア１０５の記録を、ディスク製造時にメーカー側で行なうようにしても良いし、ユーザーがディスク購入後にドライブで行なうようにしても良く、いずれにしても、第１記録層２，２２の１回目のＯＰＣ処理を開始する前に、第２記録層５，２５の所定エリア１０５が予め記録された状態となっていれば良い。
本光記録媒体は、上述のように構成されているので、第２記録層５，２５への記録を開始する前に、第２記録層５，２５のＰＣＡ１０１において第２記録層５，２５のＯＰＣ処理を行なう。このとき、レーザ光から見て第２記録層５，２５のＯＰＣ領域１０１ａと重なる第１記録層２，２２が未記録状態になっているので、第２記録層５，２５のＯＰＣ処理をより実際の記録状況に近づけて行なうことができ、第２記録層５，２５の最適な記録パワーを決定することができる。
【０２１２】
以後、第２記録層５，２５への記録を開始する際は、第２記録層５，２５のＰＣＡ１０１において第２記録層５，２５のＯＰＣ処理を行なう。
第２記録層５，２５全域への記録が終了したら、第１記録層２，２２のＰＣＡ９５において第１記録層２，２２のＯＰＣ処理を行なう。このとき、レーザ光から見て第１記録層２，２２のＯＰＣ領域９５ａと重なる第２記録層５，２５が予め記録された状態になっているので、第１記録層２，２２のＯＰＣ処理をより実際の記録状況に近づけて行なうことができ、第１記録層２，２２の最適な記録パワーを決定することができる。
【０２１３】
また、第１記録層２，２２のＯＰＣ領域９５ａを、第２記録層５，２５のＯＰＣ領域１０１ａと重ならないように設けておくことで、第１記録層２，２２のＯＰＣ領域９５ａの記録状態に影響されずに第２記録層５，２５のＯＰＣ処理を行なうことができるので、第２記録層５，２５の最適な記録パワーを決定することができる。
また、第１実施形態と同様に、レーザ光の推奨記録パワー値を予め媒体に記録しておいても良い。こうすることで、ＯＰＣ処理を実行する際に、この推奨記録パワー値を参照すれば、より迅速に最適な記録パワーを決定することが可能となる。
【０２１４】
また、図７（Ａ）に示すように、ＰＣＡ９５，１０１は、レーザ光のアクセスの容易さから、記録を開始する位置に近い位置に設けるのが好ましい。
〔Ｄ〕その他
以上、本発明の実施形態について説明したが、本発明は上記の実施形態に限定されるものではなく、本発明の趣旨を逸脱しない範囲で種々変形して実施することができる。
【０２１５】
例えば、３つ以上の複数の記録層を有し、片面側からのレーザ光により記録・再生を行なう光記録媒体でも良く、各記録層にＰＣＡを設けるようにする。このような光記録媒体においても、ある記録層（第１記録層を除く）ＸnのＯＰＣ処理を行なう場合には、レー
ザ光から見て、その記録層ＸnのＰＣＡが、手前側の記録層Ｘn-1のＰＣＡと重ならない領域を有していることが好ましい。さらに、レーザ光から見て記録層ＸnのＰＣＡと重なる
記録層Ｘn-1の一部が予め記録された状態になっていることが好ましい。
【０２１６】
また、上記の実施形態では、色素記録層を有する色素媒体について説明したが、本発明は相変化型の媒体にも適用できる。なお、図示を省略するが、相変化型媒体の場合、第１記録層は第１保護層，情報記録層，第２保護層からなり、第２記録層も同様に第１保護層
，情報記録層，第２保護層からなる。
この情報記録層の材質としては、レーザ光を照射することによりその光学定数（屈折率ｎ，消衰係数ｋ）が変化する材料を用いることが好ましい。このような材料としては、ＴｅやＳｅをベースとするカルコゲナイド、例えばＧｅ−Ｓｂ−Ｔｅ，Ｇｅ−Ｔｅ，Ｐｄ−Ｇｅ−Ｓｂ−Ｔｅ，Ｉｎ−Ｓｂ−Ｔｅ，Ｓｂ−Ｔｅ，Ａｇ−Ｉｎ−Ｓｂ−Ｔｅ，Ｇｅ−Ｓｂ−Ｂｉ−Ｔｅ，Ｇｅ−Ｓｂ−Ｓｅ−Ｔｅ，Ｇｅ−Ｓｎ−Ｔｅ，Ｇｅ−Ｓｎ−Ｔｅ−Ａｕ，Ｇｅ−Ｓｂ−Ｔｅ−Ｃｒ，Ｉｎ−Ｓｅ，Ｉｎ−Ｓｅ−Ｃｏ等を主成分とする合金系、あるいはこれらに窒素，酸素等を適宜添加した合金系を挙げることができる。
【０２１７】
また、第１保護層及び第２保護層の材料としては、レーザ光照射時の保護基板，情報記録層等の熱的損傷によるノイズ増加の抑制、レーザ光に対する反射率、吸収率及び反射光の位相の調整等の目的で、物理的・化学的に安定であって、情報記録層の融点よりも融点及び軟化温度が高く、情報記録層の材料と相固溶しない材料を用いることが好ましい。このような材料としては、例えば、Ｙ，Ｃｅ，Ｔｉ，Ｚｒ，Ｎｂ，Ｔａ，Ｃｏ，Ｚｎ，Ａ１，Ｓｉ，Ｇｅ，Ｓｎ，Ｐｂ，Ｓｂ，Ｂｉ，Ｔｅ等の酸化物、Ｔｉ，Ｚｒ，Ｎｂ，Ｔａ，Ｃｒ，Ｍｏ，Ｗ，Ｂ，Ａ１，Ｇａ，Ｉｎ，Ｓｉ，Ｇｅ，Ｓｎ，Ｐｂ等の窒化物、Ｔｉ，Ｚｒ，Ｎｂ，Ｔａ，Ｃｒ，Ｍｏ，Ｗ，Ｓｉ等の炭化物、Ｚｎ，Ｃｄ等の硫化物、セレン化物またはテルル化物、Ｍｇ，Ｃａ等のフッ化物、Ｃ，Ｓｉ，Ｇｅ等の単体、あるいはこれらの混合物からなる誘電体または誘電体に準ずる材料を挙げることができる。第１保護層及び第２保護層は、必要に応じてそれぞれ異なる材料を用いてもよいし、同一の材料を用いることもできる。
【０２１８】
なお、書き換え型の光記録媒体の場合は、記録層への信号が書き換え可能なため、同一のパーティションであっても繰返しＯＰＣ処理が可能である。よって、書き換え型の光記録媒体のＰＣＡは、ＯＰＣ領域のみからなり、試し書き回数等を記録しておくためのＯＰＣ管理領域は不要である。
書き換え型の光記録媒体においては、ＯＰＣを行なうパーティションは任意に選択され、この選択されたパーティションに予め媒体に記録されているパワーの消去用レーザを照射し信号が消去された後に、ＯＰＣ処理が行われる。なお、書き換え型記録媒体の場合は、信号の記録消去が可能なため、第１記録層を記録した後に第２記録層を記録するというように、必ずしも記録順序が一定ではなく、その使用状況によって記録順序が異なってくる。よって、書き換え型の光記録媒体の場合は、第１記録層及び第２記録層の所定エリアを記録状態としておく方がＯＰＣ処理をより実際の記録状況に近づけることができ好ましい。但し、本発明はある記録層にデータを書き終わってから他の記録層に記録し始める、追記型媒体に適用すると効果が高い。
【図面の簡単な説明】
【０２１９】
【図１】本発明の第１実施形態としての光記録媒体（タイプ１）を示す模式図である。
【図２】本発明の第１実施形態としての光記録媒体（タイプ２）を示す模式図である。
【図３】本発明の第１実施形態にかかる光記録媒体の記録装置の全体構成を示す模式図である。
【図４】本発明の第１実施形態にかかる光記録媒体の記録方法を説明するためのフローチャートである。
【図５】（Ａ）は、本発明の第１実施形態としての光記録媒体（タイプ１及びタイプ２）のエリア構成及び記録パワーの最適化を説明するためのエリア構成図であり、（Ｂ）は、（Ａ）における要部拡大図である。
【図６】（Ａ）は、本発明の第２実施形態としての光記録媒体（タイプ１及びタイプ２）のエリア構成及び記録パワーの最適化を説明するためのエリア構成図であり、（Ｂ）及び（Ｃ）は、（Ａ）における要部拡大図である。
【図７】（Ａ）は、本発明の第３実施形態としての光記録媒体（タイプ１及びタイプ２）のエリア構成及び記録パワーの最適化を説明するためのエリア構成図であり、（Ｂ）及び（Ｃ）は、（Ａ）における要部拡大図である。
【図８】本発明の第４実施形態にかかる光記録媒体の記録方法を説明するためのフローチャートである。
【図９】（Ａ），（Ｂ）は、本発明の第４実施形態にかかる光記録媒体にデータを記録する場合にランニングＯＰＣを行なったときのレーザ電流値や記録パワーの変化を説明するための図である。
【図１０】（Ａ），（Ｂ）は、本発明の第４実施形態にかかる光記録媒体にデータを記録する場合にランニングＯＰＣを行なわないときのレーザ電流値や記録パワーの変化を説明するための図である。
【図１１】従来の光記録媒体（ＣＤ−Ｒ）のエリア構成及び記録パワーの最適化を説明するための模式図である。
【図１２】従来のデュアルレイヤタイプの光記録媒体を示す模式図である。
【符号の説明】
【０２２０】
１，２１  第１基板（第１の基板）
２，２２  第１記録層（第１の記録層）
３，２３  半透明反射層（第１の反射層）
４  中間樹脂層（中間層）
５，２５  第２記録層（第２の記録層）
６，２６  反射層（第２の反射層）
７  接着層
８，２７  第２基板（第２の基板）
２８  バッファー層
１１，１２，３１，３２  溝（案内溝）
２４  透明接着層（中間層）
５１，６２，７５，８１，９１，１０５  所定エリア
５２，６１，７１，８５，９５，１０５  ＰＣＡ（パワーキャリブレーションエリア）
５２ａ，６１ａ，７１ａ，８５ａ，９５ａ，１０１ａ  ＯＰＣ領域
５２ｂ，６１ｂ，７１ｂ，８５ｂ，９５ｂ，１０１ｂ  ＯＰＣ管理領域
５３，６３，７３，８３，９３，１０３  ユーザデータエリア
２５０  記録装置（ドライブ，ライタ）
２５１  光記録媒体
２５２  スピンドルモータ
２５３  半導体レーザ（レーザ光源）
２５４  ビームスプリッタ
２５５  対物レンズ
２５６  光検出器
２５７  光ピックアップ
２５８  アンプ
２５９  レーザドライバ（駆動部）
２６０  制御演算部
２６０Ａ  ＣＰＵ
２６０Ｂ  メモリ（記憶部）
２６１  温度センサ
２６２  モニタ用フォトダイオード（モニタ用光検出器）
【図１】
2008140545.tif 000004
【図２】
2008140545.tif 000005
【図３】
2008140545.tif 000006
【図４】
2008140545.tif 000007
【図５】
2008140545.tif 000008
【図６】
2008140545.tif 000009
【図７】
2008140545.tif 000010
【図８】
2008140545.tif 000011
【図９】
2008140545.tif 000012
【図１０】
2008140545.tif 000013
【図１１】
2008140545.tif 000014
【図１２】
2008140545.tif 000015